(57)【要約】【課題】ユーザ装置（ＵＥ）におけるＨＡＲＱ動作を実行する方法を提供する。【解決手段】前記方法は、キャリアアグリゲーション（ＣＡ）によって、一つ以上のＴＤＤベースのセルと一つ以上のＦＤＤベースのセルが設定された場合、そして前記キャリアアグリゲーション（ＣＡ）のプライマリセルとして特定ＴＤＤベースのセルが設定され、前記キャリアアグリゲーション（ＣＡ）のセカンダリセルとして前記一つ以上のＦＤＤベースのセルが設定された場合、前記ＵＥが各セルからダウンリンクデータを受信するステップと、前記ＵＥが、前記ダウンリンクデータに対するＨＡＲＱ  ＡＣＫ／ＮＡＣＫを送信するために、使用するＰＵＣＣＨフォーマットを確認するステップと、前記ＵＥが、前記ＨＡＲＱ  ＡＣＫ／ＮＡＣＫの送信のための特定ＰＵＣＣＨフォーマットの使用が確認される場合、前記ＨＡＲＱ  ＡＣＫ／ＮＡＣＫの送信ビットの数を決定するステップと、を含む。【選択図】図１２
2020010378.tif 000002
【特許請求の範囲】
【請求項１】
ユーザ装置（ＵＥ）におけるＨＡＲＱ動作を実行する方法であって、  
前記ＵＥが、利用するＰＵＣＣＨ（Ｐｈｙｓｉｃａｌ  Ｕｐｌｉｎｋ  Ｃｏｎｔｒｏｌ  Ｃｈａｎｎｅｌ）フォーマットを決定するステップと、
前記ＵＥは少なくとも一つのＴＤＤベースのセルと少なくとも一つのＦＤＤベースのセルを含むキャリアアグリゲーション（ＣＡ）で設定され、
前記少なくとも一つのＴＤＤベースのセルはプライマリセルとして設定され、
前記少なくとも一つのＦＤＤベースのセルはセカンダリセルとして設定され、
前記ＵＥが、ＰＵＣＣＨフォーマットに基づいて送信するＨＡＲＱ  ＡＣＫ／ＮＡＣＫのビットの数を決定するステップと、
前記ＰＵＣＣＨフォーマットに基づいてＰＵＣＣＨ信号を生成し、送信するステップとを含み、
前記プライマリセルに対応する前記少なくとも一つのＴＤＤベースのセルのアップリンクーダウンリンク（ＵＬ−ＤＬ）設定がＵＬ−ＤＬ設定３に対応する場合であって、前記少なくとも一つのＦＤＤベースのセルが前記セカンダリセルとして設定される場合、前記キャリアアグリゲーション（ＣＡ）に含まれるセルの最大個数は、前記決定されたＨＡＲＱ  ＡＣＫ／ＮＡＣＫのビットの数が前記ＰＵＣＣＨフォーマットで許容された最大ビットの数を超えないように制限される、ＨＡＲＱ動作方法。
【請求項２】
前記許容された最大ビット数が２０であるように前記ＰＵＣＣＨフォーマットがＰＵＣＣＨフォーマット３に対応する場合、
前記キャリアアグリゲーション（ＣＡ）に含まれるセルの最大個数が制限される、請求項１に記載のＨＡＲＱ動作方法。
【請求項３】
前記プライマリセルに対応する少なくとも一つのＴＤＤベースのセルの前記ＵＬ−ＤＬ設定がＵＬ−ＤＬ設定２，４及び５の少なくとも一つに対応する場合、
前記キャリアアグリゲーション（ＣＡ）に含まれるセルの最大個数が制限される、請求項１に記載のＨＡＲＱ動作方法。
【請求項４】
前記ＰＵＣＣＨフォーマットに対する設定を含むＲＲＣシグナルを受信するステップをさらに含む、請求項１に記載のＨＡＲＱ動作方法。
【請求項５】
前記キャリアアグリゲーション（ＣＡ）は、ＴＤＤベースのプライマリセル、ＦＤＤベースの少なくとも一つ以上のセカンダリセル、及びＴＤＤベースの少なくとも一つ以上のセカンダリセルを含む、請求項１に記載のＨＡＲＱ動作方法。
【請求項６】
基地局により実行されるＨＡＲＱ  ＡＣＫ／ＮＡＣＫ受信方法であって、
前記基地局が、少なくとも一つのＴＤＤベースのセルと少なくとも一つのＦＤＤベースのセルを含むキャリアアグリゲーション（ＣＡ）を設定するステップと、
前記少なくとも一つのＴＤＤベースのセルはプライマリセルとして設定され、
前記少なくとも一つのＦＤＤベースのセルはセカンダリセルとして設定され、
前記基地局が、ユーザ装置（ＵＥ）で使用されるＰＵＣＣＨ（Ｐｈｙｓｉｃａｌ  Ｕｐｌｉｎｋ  Ｃｏｎｔｒｏｌ  Ｃｈａｎｎｅｌ）フォーマットを決定するステップと、
前記基地局が、ダウンリンクデータを前記ＵＥに送信するステップと、
前記ダウンリンクデータに対するＨＡＲＱ  ＡＣＫ／ＮＡＣＫを受信するステップと、を含み、
前記プライマリセルに対応する前記少なくとも一つのＴＤＤベースのセルのアップリンクーダウンリンク（ＵＬ−ＤＬ）設定はＵＬ−ＤＬ設定３に対応する場合であって、前記少なくとも一つのＦＤＤベースのセルが前記セカンダリセルとして設定される場合、前記キャリアアグリゲーション（ＣＡ）に含まれるセルの最大個数は、前記受信したＨＡＲＱ  ＡＣＫ／ＮＡＣＫのビットの数が前記ＰＵＣＣＨフォーマットで許容された最大ビットの数を超えないように制限される、ＨＡＲＱ  ＡＣＫ／ＮＡＣＫ受信方法。
【請求項７】
前記許容される最大ビット数が２０となるように前記ＰＵＣＣＨフォーマットがＰＵＣＣＨフォーマット３に対応する場合、
前記キャリアアグリゲーション（ＣＡ）に含まれるセルの最大個数が制限される、請求項６に記載のＨＡＲＱ  ＡＣＫ／ＮＡＣＫ受信方法。
【請求項８】
前記プライマリセルに対応する少なくとも一つのＴＤＤベースのセルの前記ＵＬ−ＤＬ設定がＵＬ−ＤＬ設定２，４及び５の少なくとも一つに対応する場合、
前記キャリアアグリゲーション（ＣＡ）に含まれる前記セルの最大個数が制限される、請求項６に記載のＨＡＲＱ  ＡＣＫ／ＮＡＣＫ受信方法。
【請求項９】
前記決定されたＰＵＣＣＨフォーマットに対する設定を含むＲＲＣシグナルを送信するステップをさらに含む、請求項６に記載のＨＡＲＱ  ＡＣＫ／ＮＡＣＫ受信方法。
【請求項１０】
前記キャリアアグリゲーション（ＣＡ）は、前記ＴＤＤベースのプライマリセル、ＦＤＤベースの少なくとも一つ以上のセカンダリセル、及びＴＤＤベースの少なくとも一つ以上のセカンダリセルを含む、請求項６に記載のＨＡＲＱ  ＡＣＫ／ＮＡＣＫ受信方法。
【請求項１１】
ダウンリンクデータに関するＨＡＲＱ  ＡＣＫ／ＮＡＣＫの送信のための前記ＰＵＣＣＨフォーマットを確認するステップをさらに含む、請求項１に記載のＨＡＲＱ動作方法。
【請求項１２】
ＨＡＲＱ動作を実行するための端末（ＵＥ）であって、
送受信部と、
前記送受信部を制御し、利用するＰＵＣＣＨフォーマットを決定するプロセッサとを含み、
前記ＵＥは、少なくとも一つのＴＤＤベースのセルと少なくとも一つのＦＤＤベースのセルを含むキャリアアグリゲーション（ＣＡ）で設定され、
前記少なくとも一つのＴＤＤベースのセルはプライマリセルとして設定され、
前記少なくとも一つのＦＤＤベースのセルはセカンダリセルとして設定され、
前記プロセッサは、ＰＵＣＣＨ（Ｐｈｙｓｉｃａｌ  Ｕｐｌｉｎｋ  Ｃｏｎｔｒｏｌ  Ｃｈａｎｎｅｌ）フォーマットに基づいて送信されるＨＡＲＱ  ＡＣＫ／ＮＡＣＫの数を決定するようにさらに設定され、
前記プロセッサは、前記送受信部を介して、前記ＰＵＣＣＨフォーマットに基づいたＰＵＣＣＨ信号を生成し、送信するようにさらに設定され、
前記プライマリセルに対応する前記少なくとも一つのＴＤＤベースのセルのアップリンクーダウンリンク（ＵＬ−ＤＬ）設定はＵＬ−ＤＬ設定３に対応する場合であって、前記少なくとも一つのＦＤＤベースのセルが前記セカンダリセルとして設定される場合、前記キャリアアグリゲーション（ＣＡ）に含まれるセルの最大個数は、ＨＡＲＱ  ＡＣＫ／ＮＡＣＫのビットの数が前記ＰＵＣＣＨフォーマットで許容された最大ビットの数を超えないように制限される、端末。
【発明の詳細な説明】
【技術分野】
【０００１】
本発明は、移動通信に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。
【０００３】
このようなＬＴＥは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。
【０００４】
３ＧＰＰ  ＴＳ  ３６．２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”に開示されているように、ＬＴＥにおいて、物理チャネルは、ダウンリンクチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＤＣＣＨ（Ｐｈｙｓｉｃａｌ  Ｄｏｗｎｌｉｎｋ  Ｃｏｎｔｒｏｌ  Ｃｈａｎｎｅｌ）、アップリンクチャネルであるＰＵＳＣＨ（Ｐｈｙｓｉｃａｌ  Ｕｐｌｉｎｋ  Ｓｈａｒｅｄ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【０００５】
一方、スマートフォンの普及に応じて、ユーザは、より速いデータ通信を要求している。このように、より高速のデータ通信が要求される時点で、既存のようにある移動通信事業者がＦＤＤに基づくサービスのみを提供し、またはＦＤＤに基づくサービスのみを提供することは、周波数使用側面で非効率的である。結果的に、ＵＥがＦＤＤを利用するセルとＴＤＤを利用するセルの両方ともに同時に接続できるようにすることが好ましい。これを実現するために、次世代移動通信システムでは、ＦＤＤベースのセルとＴＤＤベースのセルをキャリアアグリゲーション（ＣＡ）技術により束ねるための議論がある。
【０００６】
しかし、前記のようにＦＤＤベースのセルとＴＤＤベースのセルがキャリアアグリゲーションされる場合、ＵＥのＨＡＲＱ動作が問題になる。
【発明の概要】
【発明が解決しようとする課題】
【０００７】
したがって、本明細書の開示は、前述した問題点を解決することを目的とする。
【課題を解決するための手段】
【０００８】
前述した目的を達成するために、本明細書の一開示は、ユーザ装置（ＵＥ）におけるＨＡＲＱ動作を実行する方法を提供する。前記方法は、キャリアアグリゲーション（ＣＡ）によって、一つ以上のＴＤＤベースのセルと一つ以上のＦＤＤベースのセルが設定された場合、そして前記キャリアアグリゲーション（ＣＡ）のプライマリセルとして特定ＴＤＤベースのセルが設定され、前記キャリアアグリゲーション（ＣＡ）のセカンダリセルとして前記一つ以上のＦＤＤベースのセルが設定された場合、前記ＵＥが各セルからダウンリンクデータを受信するステップと、前記ＵＥが、前記ダウンリンクデータに対するＨＡＲＱ  ＡＣＫ／ＮＡＣＫを送信するために、使用するＰＵＣＣＨ（Ｐｈｙｓｉｃａｌ  Ｕｐｌｉｎｋ  Ｃｏｎｔｒｏｌ  Ｃｈａｎｎｅｌ）フォーマットを確認するステップと、前記ＵＥが、前記ＨＡＲＱ  ＡＣＫ／ＮＡＣＫの送信のための特定ＰＵＣＣＨフォーマットの使用が確認される場合、前記ＨＡＲＱ  ＡＣＫ／ＮＡＣＫの送信ビットの数を決定するステップと、を含む。ここで、前記キャリアアグリゲーション（ＣＡ）に含まれるセルの最大個数は、前記決定されたＨＡＲＱ  ＡＣＫ／ＮＡＣＫの送信ビットの数が前記ＰＵＣＣＨフォーマットで許容された最大ビットの数を超えないように制限される。
【０００９】
前記使用するＰＵＣＣＨフォーマットがＰＵＣＣＨフォーマット３であり、許容可能な最大ビットは２０ビットである場合、前記キャリアアグリゲーション（ＣＡ）に含まれるセルの最大個数が制限される。
【００１０】
前記使用するＰＵＣＣＨフォーマットがＰＵＣＣＨフォーマット３であり、許容可能な最大ビットは２０ビットである場合、そして前記プライマリセルに該当する特定ＴＤＤベースのセルのＵＬ−ＤＬ設定が２、３、４、５のうちいずれか一つに該当する場合、前記キャリアアグリゲーション（ＣＡ）に含まれるセルの最大個数が制限される。
【００１１】
前記方法は、前記使用するＰＵＣＣＨフォーマットに対する設定をＲＲＣシグナルを介して受信するステップをさらに含む。
【００１２】
前記キャリアアグリゲーション（ＣＡ）は、ＴＤＤベースのプライマリセル、ＦＤＤベースの一つ以上のセカンダリセル、ＴＤＤベースの一つ以上のセカンダリセルを含む。
【００１３】
また、前述した目的を達成するために、本明細書の一開示は、ＴＤＤベースのセルにおけるＨＡＲＱ  ＡＣＫ／ＮＡＣＫ受信方法を提供する。前記受信方法は、ＴＤＤベースのセルが、プライマリセルとしてＴＤＤベースのセルとＦＤＤベースのセルをセカンダリセルとしてキャリアアグリゲーション（ＣＡ）を設定するステップと、前記プライマリセルに該当するＴＤＤベースのセルが、ユーザ装置（ＵＥ）が使用するＰＵＣＣＨ（Ｐｈｙｓｉｃａｌ  Ｕｐｌｉｎｋ  Ｃｏｎｔｒｏｌ  Ｃｈａｎｎｅｌ）フォーマットを決定するステップと、前記プライマリセルに該当するＴＤＤベースのセルが、ダウンリンクデータを前記ＵＥに伝達するステップと、前記ＵＥから前記ダウンリンクデータに対するＨＡＲＱ  ＡＣＫ／ＮＡＣＫを受信するステップと、を含む。ここで、前記キャリアアグリゲーション（ＣＡ）に含まれるセルの最大個数は、前記ＨＡＲＱ  ＡＣＫ／ＮＡＣＫの受信ビットの数が前記ＰＵＣＣＨフォーマットで許容された最大ビットの数を超えないように制限される。
【発明の効果】
【００１４】
本明細書の開示によると、前述した従来技術の問題点が解決される。
【図面の簡単な説明】
【００１５】
【図１】無線通信システムである。
【図２】３ＧＰＰ  ＬＴＥにおいて、ＦＤＤによる無線フレーム（ｒａｄｉｏ  ｆｒａｍｅ）の構造を示す。
【図３】３ＧＰＰ  ＬＴＥにおいて、ＴＤＤによるダウンリンク無線フレームの構造を示す。
【図４】３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【図５】ダウンリンクサブフレームの構造を示す。
【図６】３ＧＰＰ  ＬＴＥにおいて、アップリンクサブフレームの構造を示す。
【図７】アップリンクサブフレーム上へのＰＵＣＣＨとＰＵＳＣＨを示す。
【図８】単一搬送波システムとキャリアアグリゲーションシステムの比較例である。
【図９】キャリアアグリゲーションシステムにおける交差搬送波スケジューリングを例示する。
【図１０】基地局と端末との間のＨＡＲＱの動作を示す例示図である。
【図１１ａ】次世代システムとして論議されているＦＤＤベースのセルとＴＤＤベースのセルをキャリアアグリゲーション（ＣＡ）技術を利用して束ねる例を示す。
【図１１ｂ】次世代システムとして論議されているＦＤＤベースのセルとＴＤＤベースのセルをキャリアアグリゲーション（ＣＡ）技術を利用して束ねる例を示す。
【図１２】本明細書の第２の開示による方案を示すフローチャートである。
【図１３】本明細書の開示が具現される無線通信システムを示すブロック図である。
【発明を実施するための形態】
【００１６】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は多様な無線通信システムに適用されることができる。以下、ＬＴＥとは、ＬＴＥ及び／またはＬＴＥ−Ａを含む。
【００１７】
本明細書で使われる技術的用語は、単に特定の実施例を説明するために使われたものであり、本発明を限定するものではないことを留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味でまたは過度に縮小された意味で解釈されてはならない。また、本明細書で使われる技術的な用語が本発明の思想を正確に表現することができない技術的用語である場合、当業者が正しく理解することができる技術的用語に変えて理解しなければならない。また、本発明で使われる一般的な用語は、事前の定義によってまたは前後の文脈によって解釈されなければならず、過度に縮小された意味で解釈されてはならない。
【００１８】
また、本明細書で使われる単数の表現は、文脈上、明白に異なる意味ではない限り、複数の表現を含む。本出願において、“構成される”または“含む”などの用語は、明細書上に記載された複数の構成要素、または複数のステップを必ず全部含むと解釈されてはならず、そのうち一部構成要素または一部ステップは含まない場合もあり、または追加的な構成要素またはステップをさらに含む場合もあると解釈されなければならない。
【００１９】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的にのみ使われる。例えば、本発明の権利範囲を外れない限り、第１の構成要素は第２の構成要素と命名することができ、同様に、第２の構成要素も第１の構成要素と命名することができる。
【００２０】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなげればならない。
【００２１】
以下、添付図面を参照して本発明による好ましい実施例を詳細に説明し、図面符号に関係なしに同じまたは類似の構成要素は、同じ参照番号を付与し、これに対する重複説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことを留意しなければならない。本発明の思想は、添付図面外に全ての変更、均等物乃至代替物にまで拡張されると解釈されなければならない。
【００２２】
以下で使われる用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２３】
また、以下で使われる用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００２４】
図１は、無線通信システムである。
【００２５】
図１を参照して分かるように、無線通信システムは、少なくとも一つの基地局（ｂａｓｅ  ｓｔａｔｉｏｎ：ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００２６】
ＵＥは、通常的に、一つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００２７】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００２８】
一方、無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号またはストリームの送信に使われる物理的または論理的アンテナを意味し、受信アンテナは、一つの信号またはストリームの受信に使われる物理的または論理的アンテナを意味する。
【００２９】
一方、無線通信システムは、大いに、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信とＵＥによるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００３０】
以下、ＬＴＥシステムに対し、より詳細に説明する。
【００３１】
図２は、３ＧＰＰ  ＬＴＥにおいて、ＦＤＤによる無線フレーム（ｒａｄｉｏ  ｆｒａｍｅ）の構造を示す。
【００３２】
図２に示す無線フレームは、３ＧＰＰ  ＴＳ  ３６．２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）"の５節を参照することができる。
【００３３】
図２を参照すると、無線フレームは、１０個のサブフレーム（ｓｕｂｆｒａｍｅ）を含み、一つのサブフレームは、２個のスロット（ｓｌｏｔ）を含む。無線フレーム内のスロットは、０から１９までのスロット番号が付けられる。一つのサブフレームの送信にかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３４】
無線フレームの構造は、例示に過ぎず、無線フレームに含まれるサブフレームの数またはサブフレームに含まれるスロットの数等は、多様に変更されることができる。
【００３５】
一方、一つのスロットは、複数のＯＦＤＭシンボルを含むことができる。一つのスロットに含まれるＯＦＤＭシンボルの数は、信号区間（ｃｙｃｌｉｃ ｐｒｅｆｉｘ：ＣＰ）によって変わることができる。
【００３６】
図３は、３ＧＰＰ  ＬＴＥにおいて、ＴＤＤによるダウンリンク無線フレームの構造を示す。
【００３７】
これは３ＧＰＰ  ＴＳ  ３６．２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”の４節を参照することができ、ＴＤＤ（Ｔｉｍｅ  Ｄｉｖｉｓｉｏｎ  Ｄｕｐｌｅｘ）のためのものである。
【００３８】
無線フレーム（ｒａｄｉｏ  ｆｒａｍｅ）は、０〜９のインデックスが付けられた１０個のサブフレームを含む。一つのサブフレーム（ｓｕｂｆｒａｍｅ）は、２個の連続的なスロットを含む。例えば、一つのサブフレームの長さは１ｍｓであり、一つのスロットの長さは０．５ｍｓである。
【００３９】
一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。ＯＦＤＭシンボルは、３ＧＰＰ  ＬＴＥがダウンリンク（ｄｏｗｎｌｉｎｋ、ＤＬ）でＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限をおくものではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることもある。
【００４０】
一つのスロットは、７ＯＦＤＭシンボルを含むことを例示的に記述するが、ＣＰの長さによって一つのスロットに含まれるＯＦＤＭシンボルの数は変わることができる。正規（ｎｏｒｍａｌ）ＣＰで、１スロットは７ＯＦＤＭシンボルを含み、拡張（ｅｘｔｅｎｄｅｄ）ＣＰで、１スロットは６ＯＦＤＭシンボルを含む。
【００４１】
リソースブロック（ｒｅｓｏｕｒｃｅ  ｂｌｏｃｋ：ＲＢ）は、リソース割当単位であり、一つのスロットで複数の副搬送波を含む。例えば、一つのスロットが時間領域で７個のＯＦＤＭシンボルを含み、リソースブロックが周波数領域で１２個の副搬送波を含む場合、一つのリソースブロックは、７×１２個のリソース要素（ｒｅｓｏｕｒｃｅ  ｅｌｅｍｅｎｔ：ＲＥ）を含むことができる。
【００４２】
インデックス＃１とインデックス＃６を有するサブフレームは、スペシャルサブフレームといい、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、ＵＥでの初期セル探索、同期化またはチャネル推定に使われる。ＵｐＰＴＳは、基地局でのチャネル推定とＵＥのアップリンク送信同期を合わせるときに使われる。ＧＰは、アップリンクとダウンリンクとの間にダウンリンク信号の多重経路遅延によりアップリンクで発生する干渉を除去するための区間である。
【００４３】
ＴＤＤでは、一つの無線フレームにＤＬ（ｄｏｗｎｌｉｎｋ）サブフレームとＵＬ（Ｕｐｌｉｎｋ）サブフレームが共存する。表１は、無線フレームの設定（ｃｏｎｆｉｇｕｒａｔｉｏｎ）の一例を示す。
【００４４】
【表１】
2020010378.tif 000003
【００４５】
‘Ｄ’はＤＬサブフレームを示し、‘Ｕ’はＵＬサブフレームを示し、‘Ｓ’はスペシャルサブフレームを示す。基地局からＵＬ−ＤＬ設定を受信すると、ＵＥは、無線フレームの設定によって、どのサブフレームがＤＬサブフレームかまたはＵＬサブフレームかを知ることができる。
【００４６】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ及び他の制御チャネルが割り当てられ、データ領域にはＰＤＳＣＨが割り当てられる。
【００４７】
図４は、３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【００４８】
図４を参照すると、アップリンクスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）でＮＲＢ個のリソースブロック（ＲＢ）を含む。例えば、ＬＴＥシステムにおいて、リソースブロック（Ｒｅｓｏｕｒｃｅ  Ｂｌｏｃｋ ＲＢ）の個数、即ち、ＮＲＢは、６乃至１１０のうちいずれか一つである。前記ＲＢは、ＰＲＢ（Ｐｈｙｓｉｃａｌ  Ｒｅｓｏｕｒｃｅ  Ｂｌｏｃｋ）で呼ばれることもある。
【００４９】
ここで、一つのリソースブロック（ＲＢ）は、時間領域で７ＯＦＤＭシンボル、周波数領域で１２副搬送波を含む７×１２リソース要素（Ｒｅｓｏｕｒｃｅ  Ｅｌｅｍｅｎｔ：ＲＥ）を含むことを例示的に記述するが、リソースブロック内の副搬送波の数とＯＦＤＭシンボルの数はこれに制限されるものではない。リソースブロックが含むＯＦＤＭシンボルの数または副搬送波の数は多様に変更されることができる。即ち、ＯＦＤＭシンボルの数は、前述したＣＰの長さによって変更されることができる。特に、３ＧＰＰ  ＬＴＥでは、正規ＣＰの場合、一つのスロット内に７個のＯＦＤＭシンボルが含まれると定義し、拡張ＣＰの場合、一つのスロット内に６個のＯＦＤＭシンボルが含まれると定義している。
【００５０】
ＯＦＤＭシンボルは、一つのシンボル区間（ｓｙｍｂｏｌ  ｐｅｒｉｏｄ）を表現するためのものであり、システムによってＳＣ−ＦＤＭＡシンボル、ＯＦＤＭＡシンボルまたはシンボル区間ということができる。リソースブロックは、リソース割当単位であり、周波数領域で複数の副搬送波を含む。アップリンクスロットに含まれるリソースブロックの数ＮＵＬは、セルで設定されるアップリンク送信帯域幅（ｂａｎｄｗｉｄｔｈ）に従属する。リソースグリッド上の各要素（ｅｌｅｍｅｎｔ）をリソース要素（ｒｅｓｏｕｒｃｅ  ｅｌｅｍｅｎｔ：ＲＥ）という。
【００５１】
一方、一つのＯＦＤＭシンボルにおける副搬送波の数は、１２８、２５６、５１２、１０２４、１５３６及び２０４８の中から一つを選定して使用することができる。
【００５２】
図４の３ＧＰＰ  ＬＴＥにおいて、一つのアップリンクスロットに対するリソースグリッドは、ダウンリンクスロットに対するリソースグリッドにも適用されることができる。
【００５３】
図５は、ダウンリンクサブフレームの構造を示す。
【００５４】
図５では、正規ＣＰを仮定し、例示的に一つのスロット内に７ＯＦＤＭシンボルが含むことを図示した。しかし、信号区間（サイクリック・プリフィックス）（Ｃｙｃｌｉｃ  Ｐｒｅｆｉｘ：ＣＰ）の長さによって、一つのスロットに含まれるＯＦＤＭシンボルの数は変わることができる。即ち、前述したように、３ＧＰＰ  ＴＳ  ３６．２１１  Ｖ１０．４．０によると、正規（ｎｏｒｍａｌ）ＣＰで、１スロットは７ＯＦＤＭシンボルを含み、拡張（ｅｘｔｅｎｄｅｄ）ＣＰで、１スロットは６ＯＦＤＭシンボルを含む。
【００５５】
リソースブロック（ｒｅｓｏｕｒｃｅ  ｂｌｏｃｋ：ＲＢ）は、リソース割当単位であり、一つのスロットで複数の副搬送波を含む。例えば、一つのスロットが時間領域で７個のＯＦＤＭシンボルを含み、リソースブロックが周波数領域で１２個の副搬送波を含む場合、一つのリソースブロックは、７×１２個のリソース要素（ＲＥ）を含むことができる。
【００５６】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨが割り当てられる。
【００５７】
３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００５８】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。無線機器は、まず、ＰＣＦＩＣＨ上にＣＦＩを受信した後、ＰＤＣＣＨをモニタリングする。
【００５９】
ＰＤＣＣＨと違って、ＰＣＦＩＣＨは、ブラインド復号を使用せずに、サブフレームの固定されたＰＣＦＩＣＨリソースを介して送信される。
【００６０】
ＰＨＩＣＨは、ＵＬ  ＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を伝送する。無線機器により送信されるＰＵＳＣＨ上のＵＬ（ｕｐｌｉｎｋ）データに対するＡＣＫ／ＮＡＣＫ信号は、ＰＨＩＣＨ上に送信される。
【００６１】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、無線機器が基地局と通信するときに必須なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。これと比較して、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００６２】
ＰＤＣＣＨは、ＤＬ−ＳＣＨ（ｄｏｗｎｌｉｎｋ−ｓｈａｒｅｄ  ｃｈａｎｎｅｌ）のリソース割当及び送信フォーマット、ＵＬ−ＳＣＨ（ｕｐｌｉｎｋ  ｓｈａｒｅｄ  ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信電力制御命令のセット及びＶｏＩＰ（ｖｏｉｃｅ  ｏｖｅｒ  ｉｎｔｅｒｎｅｔ  ｐｒｏｔｏｃｏｌ）の活性化などを伝送することができる。複数のＰＤＣＣＨが制御領域内で送信されることができ、ＵＥは、複数のＰＤＣＣＨをモニタリングすることができる。ＰＤＣＣＨは、一つまたは複数の連続的なＣＣＥ（ｃｏｎｔｒｏｌ  ｃｈａｎｎｅｌ  ｅｌｅｍｅｎｔｓ）のアグリゲーション（ａｇｇｒｅｇａｔｉｏｎ）上に送信される。ＣＣＥは、無線チャネルの状態による符号化率をＰＤＣＣＨに提供するために使われる論理的な割当単位である。ＣＣＥは、複数のリソース要素グループ（ｒｅｓｏｕｒｃｅ  ｅｌｅｍｅｎｔ  ｇｒｏｕｐ）に対応する。ＣＣＥの数とＣＣＥにより提供される符号化率の関係によって、ＰＤＣＣＨのフォーマット及び可能なＰＤＣＣＨのビット数が決定される。
【００６３】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ：ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信電力制御命令のセット及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００６４】
基地局は、ＵＥに送るＤＣＩによって、ＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣにはＰＤＣＣＨのオーナ（ｏｗｎｅｒ）や用途によって、固有な識別子（ｒａｄｉｏ  ｎｅｔｗｏｒｋ  ｔｅｍｐｏｒａｒｙ  ｉｄｅｎｔｉｆｉｅｒ：ＲＮＴＩ）がマスキングされる。特定ＵＥのためのＰＤＣＣＨの場合、ＵＥの固有識別子、例えば、Ｃ−ＲＮＴＩ（ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（ｐａｇｉｎｇ−ＲＮＴＩ）がＣＲＣにマスキングされることができる。システム情報ブロック（ｓｙｓｔｅｍ  ｉｎｆｏｒｍａｔｉｏｎ  ｂｌｏｃｋ：ＳＩＢ）のためのＰＤＣＣＨの場合、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。ＵＥのランダムアクセスプリアンブルの送信に対する応答であるランダムアクセス応答を指示するためにＲＡ−ＲＮＴＩ（ｒａｎｄｏｍ  ａｃｃｅｓｓ−ＲＮＴＩ）がＣＲＣにマスキングされることができる。
【００６５】
３ＧＰＰ  ＬＴＥでは、ＰＤＣＣＨの検出のためにブラインド復号を使用する。ブラインド復号は、受信されるＰＤＣＣＨ（これを候補（ｃａｎｄｉｄａｔｅ）ＰＤＣＣＨという）のＣＲＣ（Ｃｙｃｌｉｃ  Ｒｅｄｕｎｄａｎｃｙ  Ｃｈｅｃｋ）に所望する識別子をデマスキングし、ＣＲＣエラーをチェックすることで、該当ＰＤＣＣＨが自分の制御チャネルかどうかを確認する方式である。基地局は、無線機器に送るＤＣＩによって、ＰＤＣＣＨフォーマットを決定した後、ＤＣＩにＣＲＣを付け、ＰＤＣＣＨのオーナ（ｏｗｎｅｒ）や用途によって、固有な識別子（ＲＮＴＩ）をＣＲＣにマスキングする。
【００６６】
サブフレーム内の制御領域は、複数のＣＣＥ（ｃｏｎｔｒｏｌ  ｃｈａｎｎｅｌ  ｅｌｅｍｅｎｔ）を含む。ＣＣＥは、無線チャネルの状態による符号化率をＰＤＣＣＨに提供するために使われる論理的な割当単位であり、複数のＲＥＧ（ｒｅｓｏｕｒｃｅ  ｅｌｅｍｅｎｔ  ｇｒｏｕｐ）に対応される。ＲＥＧは、複数のリソース要素（ｒｅｓｏｕｒｃｅ  ｅｌｅｍｅｎｔ）を含む。ＣＣＥの数とＣＣＥにより提供される符号化率の関係によって、ＰＤＣＣＨのフォーマット及び可能なＰＤＣＣＨのビット数が決定される。
【００６７】
一つのＲＥＧは、４個のＲＥを含み、一つのＣＣＥは、９個のＲＥＧを含む。一つのＰＤＣＣＨを構成するために｛１、２、４、８｝個のＣＣＥを使用することができ、｛１、２、４、８｝の各々の要素をＣＣＥアグリゲーションレベル（ａｇｇｒｅｇａｔｉｏｎ  ｌｅｖｅｌ）という。
【００６８】
ＰＤＣＣＨの送信に使われるＣＣＥの個数は、基地局がチャネル状態によって決定する。例えば、良いダウンリンクチャネル状態を有する端末には、一つのＣＣＥをＰＤＣＣＨ送信に使用することができる。悪い（ｐｏｏｒ）ダウンリンクチャネル状態を有する端末には、８個のＣＣＥをＰＤＣＣＨ送信に使用することができる。
【００６９】
一つまたはそれ以上のＣＣＥで構成された制御チャネルは、ＲＥＧ単位のインタリービングを実行し、セルＩＤ（ｉｄｅｎｔｉｆｉｅｒ）に基づく循環シフト（ｃｙｃｌｉｃ  ｓｈｉｆｔ）が実行された後に物理的リソースにマッピングされる。
【００７０】
一方、端末は、自分のＰＤＣＣＨが制御領域内のどの位置でどのＣＣＥアグリゲーションレベルやＤＣＩフォーマットを使用して送信されるかを知ることができない。一つのサブフレーム内で複数のＰＤＣＣＨが送信されることができるため、端末は、サブフレーム毎に複数のＰＤＣＣＨをモニタリングする。ここで、モニタリングとは、端末がＰＤＣＣＨフォーマットによってＰＤＣＣＨのデコーディングを試みることをいう。
【００７１】
３ＧＰＰ  ＬＴＥでは、ブラインドデコーディングによる負担を減らすために、検索空間（ｓｅａｒｃｈ  ｓｐａｃｅ）を使用する。検索空間は、ＰＤＣＣＨのためのＣＣＥのモニタリングセット（ｍｏｎｉｔｏｒｉｎｇ  ｓｅｔ）を意味する。端末は、該当する検索空間内でＰＤＣＣＨをモニタリングする。
【００７２】
端末がＣ−ＲＮＴＩに基づいてＰＤＣＣＨをモニタリングする時、ＰＤＳＣＨの送信モード（ｔｒａｎｓｍｉｓｓｉｏｎ  ｍｏｄｅ：ＴＭ）によってモニタリングするＤＣＩフォーマットと検索空間が決定される。以下の表は、Ｃ−ＲＮＴＩが設定されたＰＤＣＣＨモニタリングの例を示す。
【００７３】
【表２−１】
2020010378.tif 000004
【表２−２】
2020010378.tif 000005
【００７４】
ＤＣＩフォーマットの用途は、以下の表のように区分される。
【００７５】
【表３】
2020010378.tif 000006
【００７６】
アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００７７】
アップリンクチャネルはＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００７８】
一方、ＰＤＣＣＨは、サブフレーム内の制御領域という限定された領域でモニタリングされ、また、ＰＤＣＣＨの復調のためには全帯域で送信されるＣＲＳが使われる。制御情報の種類が多様化し、制御情報の量の増加に応じて、既存ＰＤＣＣＨのみではスケジューリングの柔軟性が落ちる。また、ＣＲＳ送信による負担を減らすために、ＥＰＤＣＣＨ（ｅｎｈａｎｃｅｄ  ＰＤＣＣＨ）が導入されている。
【００７９】
図６は、３ＧＰＰ  ＬＴＥにおいて、アップリンクサブフレームの構造を示す。
【００８０】
図６を参照すると、アップリンクサブフレームは、周波数領域で制御領域とデータ領域とに分けられる。制御領域には、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域には、データ（場合によって、制御情報も共に送信されることができる）が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【００８１】
一つのＵＥに対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準にして変更される。これをＰＵＣＣＨに割り当てられるＲＢ対がスロット境界で周波数がホッピングされた（ｆｒｅｑｕｅｎｃｙ−ｈｏｐｐｅｄ）という。
【００８２】
ＵＥがアップリンク制御情報を時間によって互いに異なる副搬送波を介して送信することによって、周波数ダイバーシティ（ｆｒｅｑｕｅｎｃｙ  ｄｉｖｅｒｓｉｔｙ）利得を得ることができる。ｍは、サブフレーム内でＰＵＣＣＨに割り当てられたリソースブロック対の論理的な周波数領域位置を示す位置インデックスである。
【００８３】
ＰＵＣＣＨ上に送信されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割当要求であるＳＲ（ｓｃｈｅｄｕｌｉｎｇ  ｒｅｑｕｅｓｔ）などがある。
【００８４】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、送信時間区間（ＴＴＩ）中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。
【００８５】
図７は、アップリンクサブフレーム上へのＰＵＣＣＨとＰＵＳＣＨを示す。
【００８６】
図７を参照してＰＵＣＣＨフォーマット（ＰＵＣＣＨ ｆｏｒｍａｔ）に対して説明する。
【００８７】
ＰＵＣＣＨ上にはアップリンク制御情報（ｕｐｌｉｎｋ  ｃｏｎｔｒｏｌ  ｉｎｆｏｒｍａｔｉｏｎ：ＵＣＩ）が送信されることができる。このとき、ＰＵＣＣＨは、フォーマット（ｆｏｒｍａｔ）によって多様な種類の制御情報を伝送する。前記ＵＣＩは、ＨＡＲＱ  ＡＣＫ／ＮＡＣＫ、ＳＲ（Ｓｃｈｅｄｕｌｉｎｇ  Ｒｅｑｕｅｓｔ）、そしてダウンリンクチャネル状態を示すチャネル状態情報（ｃｈａｎｎｅｌ  ｓｔａｔｕｓ  ｉｎｆｏｒｍａｔｉｏｎ、ＣＳＩ）を含む。
【００８８】
ＰＵＣＣＨフォーマット１は、スケジューリング要求（ＳＲ；Ｓｃｈｅｄｕｌｉｎｇ  Ｒｅｑｕｅｓｔ）を伝送する。このとき、ＯＯＫ（Ｏｎ−Ｏｆｆ  Ｋｅｙｉｎｇ）方式が適用されることができる。ＰＵＣＣＨフォーマット１ａは、一つのコードワード（ｃｏｄｅｗｏｒｄ）に対してＢＰＳＫ（Ｂｉｎａｒｙ  Ｐｈａｓｅ  Ｓｈｉｆｔ  Ｋｅｙｉｎｇ）方式に変調されたＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）を伝送する。ＰＵＣＣＨフォーマット１ｂは、２個のコードワードに対してＱＰＳＫ（Ｑｕａｄｒａｔｕｒｅ  Ｐｈａｓｅ  Ｓｈｉｆｔ  Ｋｅｙｉｎｇ）方式に変調されたＡＣＫ／ＮＡＣＫを伝送する。ＰＵＣＣＨフォーマット２は、ＱＰＳＫ方式に変調されたＣＱＩ（Ｃｈａｎｎｅｌ  Ｑｕａｌｉｔｙ  Ｉｎｄｉｃａｔｏｒ）を伝送する。ＰＵＣＣＨフォーマット２ａと２ｂは、ＣＱＩとＡＣＫ／ＮＡＣＫを伝送する。
【００８９】
表４は、ＰＵＣＣＨフォーマットを示す。
【００９０】
【表４】
2020010378.tif 000007
【００９１】
各ＰＵＣＣＨフォーマットは、ＰＵＣＣＨ領域にマッピングされて送信される。例えば、ＰＵＣＣＨフォーマット２／２ａ／２ｂは、端末に割り当てられた帯域エッジのリソースブロック（図６において、ｍ＝０、１）にマッピングされて送信される。混合ＰＵＣＣＨリソースブロック（ｍｉｘｅｄ  ＰＵＣＣＨ  ＲＢ）は、前記ＰＵＣＣＨフォーマット２／２ａ／２ｂが割り当てられるリソースブロックに前記帯域の中心方向に隣接したリソースブロック（例えば、ｍ＝２）にマッピングされて送信されることができる。ＳＲ、ＡＣＫ／ＮＡＣＫが送信されるＰＵＣＣＨフォーマット１／１ａ／１ｂは、ｍ＝４またはｍ＝５であるリソースブロックに配置されることができる。ＣＱＩが送信されるＰＵＣＣＨフォーマット２／２ａ／２ｂに使われることができるリソースブロックの数（Ｎ（２）ＲＢ）は、ブロードキャスティングされる信号を介して端末に指示されることができる。
【００９２】
言及したＣＳＩは、ＤＬチャネルの状態を示す指標であり、ＣＱＩ（Ｃｈａｎｎｅｌ  Ｑｕａｌｏｔｙ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）のうち少なくともいずれか一つを含むことができる。また、ＰＴＩ（ｐｒｅｃｏｄｉｎｇ  ｔｙｐｅ  ｉｎｄｉｃａｔｏｒ）、ＲＩ（ｒａｎｋ  ｉｎｄｉｃａｔｉｏｎ）などが含まれることもできる。
【００９３】
ＣＱＩは、与えられた時間に対して端末がサポートできるリンク適応的なパラメータに対する情報を提供する。ＣＱＩは、端末受信機の特性及びＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）などを考慮してダウンリンクチャネルによりサポートされることができるデータ率（ｄａｔａ  ｒａｔｅ）を指示することができる。基地局は、ＣＱＩを利用してダウンリンクチャネルに適用される変調（ＱＰＳＫ、１６−ＱＡＭ、６４−ＱＡＭ等）及びコーディング率を決定することができる。ＣＱＩは、多様な方法により生成できる。例えば、チャネル状態をそのまま量子化してフィードバックする方法、ＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）を計算してフィードバックする方法、ＭＣＳ（Ｍｏｄｕｌａｔｉｏｎ  Ｃｏｄｉｎｇ  Ｓｃｈｅｍｅ）のようにチャネルに実際適用される状態を知らせる方法などがある。ＣＱＩがＭＣＳに基づいて生成される場合、ＭＣＳは、変調方式と符号化方式及びこれによる符号化率（ｃｏｄｉｎｇ  ｒａｔｅ）等を含むようになる。
【００９４】
ＰＭＩは、コードブックベースのプリコーディングでプリコーディング行列に対する情報を提供する。ＰＭＩは、ＭＩＭＯ（ｍｕｌｔｉｐｌｅ  ｉｎｐｕｔ  ｍｕｌｔｉｐｌｅ  ｏｕｔｐｕｔ）と関連している。ＭＩＭＯでＰＭＩがフィードバックされることを閉ループＭＩＭＯ（ｃｌｏｓｅｄ  ｌｏｏｐ  ＭＩＭＯ）という。
【００９５】
ＲＩは、端末が推薦するレイヤの数に対する情報である。即ち、ＲＩは、空間多重化に使われる独立的なストリームの数を示す。ＲＩは、端末が空間多重化を使用するＭＩＭＯモードで動作する場合にのみフィードバックされる。ＲＩは、常に一つ以上のＣＱＩフィードバックと関連している。即ち、フィードバックされるＣＱＩは、特定のＲＩ値を仮定して計算される。チャネルのランク（ｒａｎｋ）は一般的にＣＱＩより遅く変化するため、ＲＩは、ＣＱＩより少ない回数でフィードバックされる。ＲＩの送信周期は、ＣＱＩ／ＰＭＩ送信周期の倍数である。ＲＩは、全体システム帯域に対して与えられ、周波数選択的なＲＩフィードバックはサポートされない。
【００９６】
以上のように、ＰＵＣＣＨは、ＵＣＩの送信にのみ使われる。そのために、ＰＵＣＣＨは、多重フォーマットをサポートする。ＰＵＣＣＨフォーマットに従属する変調方式（ｍｏｄｕｌａｔｉｏｎ  ｓｃｈｅｍｅ）によって、サブフレーム当たり互いに異なるビット数を有するＰＵＣＣＨを使用することができる。
【００９７】
一方、図示されたＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザデータを含むことができる。または、アップリンクデータは、多重化された（ｍｕｌｔｉｐｌｅｘｅｄ）データである。多重化されたデータは、ＵＬ−ＳＣＨ（ｕｐｌｉｎｋ  ｓｈａｒｅｄ  ｃｈａｎｎｅｌ）のためのトランスポートブロックとチャネル状態情報が多重化されたものである。例えば、データに多重化されるチャネル状態情報（ＣＳＩ）にはＣＱＩ、ＰＭＩ、ＲＩなどがある。または、アップリンクデータは、チャネル状態情報のみで構成されることもできる。周期的または非周期的チャネル状態情報は、ＰＵＳＣＨを介して送信されることができる。
【００９８】
ＰＵＳＣＨは、ＰＤＣＣＨ上のＵＬグラントにより割り当てられる。図面には示していないが、ノーマルＣＰの各スロットの４番目のＯＦＤＭシンボルは、ＰＵＳＣＨのためのＤＭＲＳ（Ｄｅｍｏｄｕａｌｔｉｏｎ  Ｒｅｆｅｒｅｎｃｅ  Ｓｉｇｎａｌ）の送信に使われる。
【００９９】
以下、キャリアアグリゲーションシステムに対して説明する。
【０１００】
図８は、単一搬送波システムとキャリアアグリゲーションシステムの比較例である。
【０１０１】
図８の（ａ）を参照すると、単一搬送波システムでは、アップリンクとダウンリンクに一つの搬送波のみをＵＥにサポートする。搬送波の帯域幅は多様であるが、ＵＥに割り当てられる搬送波は一つである。それに対し、図８の（ｂ）を参照すると、キャリアアグリゲーション（ｃａｒｒｉｅｒ  ａｇｇｒｅｇａｔｉｏｎ：ＣＡ）システムでは、ＵＥに複数のコンポーネントキャリア（ＤＬ  ＣＣ  Ａ乃至Ｃ、ＵＬ  ＣＣ  Ａ乃至Ｃ）が割り当てられることができる。コンポーネントキャリア（ｃｏｍｐｏｎｅｎｔ  ｃａｒｒｉｅｒ：ＣＣ）は、キャリアアグリゲーションシステムで使われる搬送波を意味し、搬送波と略称できる。例えば、ＵＥに６０ＭＨｚの帯域幅を割り当てるために、３個の２０ＭＨｚのコンポーネントキャリアが割り当てられることができる。
【０１０２】
キャリアアグリゲーションシステムは、アグリゲーションされる搬送波が連続する連続（ｃｏｎｔｉｇｕｏｕｓ）キャリアアグリゲーションシステムと、アグリゲーションされる搬送波が互いに離れている不連続（ｎｏｎ−ｃｏｎｔｉｇｕｏｕｓ）キャリアアグリゲーションシステムとに区分されることができる。以下、単純にキャリアアグリゲーションシステムという時、これはコンポーネントキャリアが連続する場合と不連続な場合の両方とも含むと理解しなければならない。ダウンリンクとアップリンクとの間にアグリゲーションされるコンポーネントキャリアの数は、異なるように設定されることができる。ダウンリンクＣＣ数とアップリンクＣＣ数が同じ場合を対称的（ｓｙｍｍｅｔｒｉｃ）アグリゲーションといい、その数が異なる場合を非対称的（ａｓｙｍｍｅｔｒｉｃ）アグリゲーションという。
【０１０３】
１個以上のコンポーネントキャリアをアグリゲーションする時、対象となるコンポーネントキャリアは、既存システムとの下位互換性（ｂａｃｋｗａｒｄ  ｃｏｍｐａｔｉｂｉｌｉｔｙ）のために、既存システムで使用する帯域幅をそのまま使用することができる。例えば、３ＧＰＰ  ＬＴＥシステムでは、１．４ＭＨｚ、３ＭＨｚ、５ＭＨｚ、１０ＭＨｚ、１５ＭＨｚ及び２０ＭＨｚの帯域幅をサポートし、３ＧＰＰ  ＬＴＥ−Ａシステムでは、前記３ＧＰＰ  ＬＴＥシステムの帯域幅のみを利用して２０ＭＨｚ以上の広帯域を構成することができる。または、既存システムの帯域幅をそのまま使用せずに、新しい帯域幅を定義して広帯域を構成することもできる。
【０１０４】
無線通信システムのシステム周波数帯域は、複数の搬送波周波数（Ｃａｒｒｉｅｒ−ｆｒｅｑｕｅｎｃｙ）により区分される。ここで、搬送波周波数は、セルの中心周波数（Ｃｅｎｔｅｒ  ｆｒｅｑｕｅｎｃｙ  ｏｆ  ａ  ｃｅｌｌ）を意味する。以下、セル（ｃｅｌｌ）は、ダウンリンク周波数リソースとアップリンク周波数リソースを意味する。または、セルは、ダウンリンク周波数リソースと選択的な（ｏｐｔｉｏｎａｌ）アップリンク周波数リソースの組合せ（ｃｏｍｂｉｎａｔｉｏｎ）を意味する。また、一般的にキャリアアグリゲーション（ＣＡ）を考慮しない場合、一つのセル（ｃｅｌｌ）は、アップリンク及びダウンリンク周波数リソースが常に対で存在できる。
【０１０５】
特定セルを介してパケット（ｐａｃｋｅｔ）データの送受信が行われるためには、ＵＥは、まず、特定セルに対して設定（ｃｏｎｆｉｇｕｒａｔｉｏｎ）を完了しなければならない。ここで、設定（ｃｏｎｆｉｇｕｒａｔｉｏｎ）とは、該当セルに対するデータ送受信に必要なシステム情報受信を完了した状態を意味する。例えば、設定（ｃｏｎｆｉｇｕｒａｔｉｏｎ）は、データ送受信に必要な共通物理階層パラメータ、またはＭＡＣ（ｍｅｄｉａ  ａｃｃｅｓｓ  ｃｏｎｔｒｏｌ）階層パラメータ、またはＲＲＣ階層で特定動作に必要なパラメータを受信する全般の過程を含むことができる。設定完了したセルは、パケットデータが送信されることができるという情報のみを受信すると、直ちにパケットの送受信が可能になる状態である。
【０１０６】
設定完了状態のセルは、活性化（Ａｃｔｉｖａｔｉｏｎ）または非活性化（Ｄｅａｃｔｉｖａｔｉｏｎ）状態に存在できる。ここで、活性化は、データの送信または受信が行なわれ、またはレディー状態（ｒｅａｄｙ  ｓｔａｔｅ）にあることを意味する。ＵＥは、自分に割り当てられたリソース（周波数、時間など）を確認するために、活性化されたセルの制御チャネル（ＰＤＣＣＨ）及びデータチャネル（ＰＤＳＣＨ）をモニタリングまたは受信することができる。
【０１０７】
非活性化は、トラフィックデータの送信または受信が不可能であり、測定や最小情報の送信／受信が可能であることを意味する。ＵＥは、非活性化セルからパケット受信のために必要なシステム情報（Ｓｙｓｔｅｍ  Ｉｎｆｏｒｍａｔｉｏｎ：ＳＩ）を受信することができる。それに対し、ＵＥは、自分に割り当てられたリソース（周波数、時間など）を確認するために、非活性化されたセルの制御チャネル（ＰＤＣＣＨ）及びデータチャネル（ＰＤＳＣＨ）をモニタリングまたは受信しない。
【０１０８】
セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。
【０１０９】
プライマリセルは、プライマリ周波数で動作するセルを意味し、ＵＥが基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルとして指示されたセルを意味する。
【０１１０】
セカンダリセルは、セカンダリ周波数で動作するセルを意味し、ＲＲＣ接続が確立されると設定され、追加的な無線リソースの提供に使われる。
【０１１１】
サービングセルは、キャリアアグリゲーションが設定されない、またはキャリアアグリゲーションを提供することができないＵＥである場合、プライマリセルで構成される。キャリアアグリゲーションが設定された場合、サービングセルという用語は、ＵＥに設定されたセルを示し、複数で構成されることができる。一つのサービングセルは、一つのダウンリンクコンポーネントキャリアまたは｛ダウンリンクコンポーネントキャリア、アップリンクコンポーネントキャリア｝の対で構成されることができる。複数のサービングセルは、プライマリセル及び全てのセカンダリセルのうち一つまたは複数で構成された集合で構成されることができる。
【０１１２】
前述したように、キャリアアグリゲーションシステムでは、単一搬送波システムと違って、複数のコンポーネントキャリア（ＣＣ）、即ち、複数のサービングセルをサポートすることができる。
【０１１３】
このようなキャリアアグリゲーションシステムは、交差搬送波スケジューリングをサポートすることができる。交差搬送波スケジューリング（ｃｒｏｓｓ−ｃａｒｒｉｅｒ  ｓｃｈｅｄｕｌｉｎｇ）は、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるダウンリンクＣＣを介して送信されることができ、ＵＬグラントを含むＰＤＣＣＨが送信されたダウンリンクＣＣとリンクされたアップリンクＣＣでない他のアップリンクＣＣを介してＰＵＳＣＨが送信されることができる。このように交差搬送波スケジューリングをサポートするシステムでは、ＰＤＣＣＨが制御情報を提供するＰＤＳＣＨ／ＰＵＳＣＨがどのＤＬ  ＣＣ／ＵＬ  ＣＣを介して送信されるかを知らせる搬送波指示子が必要である。以下、このような搬送波指示子を含むフィールドを搬送波指示フィールド（ｃａｒｒｉｅｒ  ｉｎｄｉｃａｔｉｏｎ  ｆｉｅｌｄ：ＣＩＦ）という。
【０１１４】
交差搬送波スケジューリングをサポートするキャリアアグリゲーションシステムは、従来のＤＣＩ（ｄｏｗｎｌｉｎｋ  ｃｏｎｔｒｏｌ  ｉｎｆｏｒｍａｔｉｏｎ）フォーマットに搬送波指示フィールド（ＣＩＦ）を含むことができる。交差搬送波スケジューリングをサポートするシステム、例えば、ＬＴＥ−Ａシステムでは、既存のＤＣＩフォーマット（即ち、ＬＴＥで使用するＤＣＩフォーマット）にＣＩＦが追加されるため、３ビットが拡張されることができ、ＰＤＣＣＨ構造は、既存のコーディング方法、リソース割当方法（即ち、ＣＣＥベースのリソースマッピング）等を再使用することができる。
【０１１５】
図９は、キャリアアグリゲーションシステムにおける交差搬送波スケジューリングを例示する。
【０１１６】
図９を参照すると、基地局は、ＰＤＣＣＨモニタリングＤＬ  ＣＣ（モニタリングＣＣ）セットを設定することができる。ＰＤＣＣＨモニタリングＤＬ  ＣＣセットは、アグリゲーションされた全体ＤＬ  ＣＣのうち一部ＤＬ  ＣＣで構成され、交差搬送波スケジューリングが設定されると、ＵＥは、ＰＤＣＣＨモニタリングＤＬ  ＣＣセットに含まれているＤＬ  ＣＣに対してのみＰＤＣＣＨモニタリング／復号を実行する。即ち、基地局は、ＰＤＣＣＨモニタリングＤＬ  ＣＣセットに含まれているＤＬ  ＣＣを介してのみスケジューリングしようとするＰＤＳＣＨ／ＰＵＳＣＨに対するＰＤＣＣＨを送信する。ＰＤＣＣＨモニタリングＤＬ  ＣＣセットは、ＵＥ特定的（ＵＥ−ｓｐｅｃｉｆｉｃ）、ＵＥグループ特定的（ＵＥ  ｇｒｏｕｐ−ｓｐｅｃｉｆｉｃ）、またはセル特定的（ｃｅｌｌ−ｓｐｅｃｉｆｉｃ）に設定されることができる。
【０１１７】
図９では、３個のＤＬ  ＣＣ（ＤＬ  ＣＣ  Ａ、ＤＬ  ＣＣ  Ｂ、ＤＬ  ＣＣ  Ｃ）がアグリゲーションされ、ＤＬ  ＣＣ  ＡがＰＤＣＣＨモニタリングＤＬ  ＣＣに設定された例を示す。ＵＥは、ＤＬ  ＣＣ  ＡのＰＤＣＣＨを介してＤＬ  ＣＣ  Ａ、ＤＬ  ＣＣ  Ｂ、ＤＬ  ＣＣ  ＣのＰＤＳＣＨに対するＤＬグラントを受信することができる。ＤＬ  ＣＣ  ＡのＰＤＣＣＨを介して送信されるＤＣＩにはＣＩＦが含まれることで、どのＤＬ  ＣＣに対するＤＣＩかを示すことができる。
【０１１８】
以下、３ＧＰＰ  ＬＴＥにおけるＨＡＲＱに対して記述する。
【０１１９】
＜ＨＡＲＱ（ｈｙｂｒｉｄ  ａｕｔｏｍａｔｉｃ  ｒｅｐｅａｔ  ｒｅｑｕｅｓｔ）＞
３ＧＰＰ  ＬＴＥは、アップリンク送信で同期（ｓｙｎｃｈｒｏｎｏｕｓ）ＨＡＲＱを使用し、ダウンリンク送信で非同期（ａｓｙｎｃｈｒｏｎｏｕｓ）ＨＡＲＱを使用する。同期ＨＡＲＱは、再送信タイミングが固定され、非同期ＨＡＲＱは、再送信タイミングが固定されない。即ち、同期ＨＡＲＱは、ＨＡＲＱ周期に初期送信と再送信が実行される。
【０１２０】
図１０は、基地局と端末との間のＨＡＲＱの動作を示す例示図である。
【０１２１】
まず、基地局、即ち、ｅＮｏｄｅＢ２００は、ＨＡＲＱ方式にデータを端末、即ち、ＵＥ１００に送信するためにＰＤＣＣＨ（Ｐｈｙｓｉｃａｌ  Ｄｏｗｎｌｉｎｋ  Ｃｏｎｔｒｏｌ  ＣＨａｎｎｅｌ）制御チャネルを介してスケジューリング情報（Ｓｃｈｅｄｕｌｉｎｇ  Ｉｎｆｏｒｍａｔｉｏｎ；以下、スケジューリング情報）を送信する。
【０１２２】
前記ＵＥ１００は、前記制御チャネル、即ち、ＰＤＣＣＨをモニタリング（Ｍｏｎｉｔｏｒｉｎｇ）することで、自分に来るスケジューリング情報を確認する。
【０１２３】
前記スケジューリング情報の確認によって、自分に対する情報があると確認されると、前記ＵＥ１００は、ＰＤＣＣＨと関連した時点で共用チャネル（ＰＳＣＨ：Ｐｈｙｓｉｃａｌ  Ｓｈａｒｅｄ  Ｃｈａｎｎｅｌ）を介してｅＮｏｄｅＢ２００からデータ（例えば、図示されたデータ＃１及びデータ＃２）を受信する。
【０１２４】
前記ＵＥ１００は、データを受信すると、前記データの復号化を試みる。前記端末は、前記復号化結果によって、ＨＡＲＱフィードバックをｅＮｏｄｅＢ２００に送信する。即ち、前記ＵＥ１００は、復号化に成功するとＡＣＫ信号を、失敗するとＮＡＣＫ信号を、ＰＵＣＣＨまたはＰＵＳＣＨを介してｅＮｏｄｅＢ２００に送信する。
【０１２５】
前記ｅＮｏｄｅＢ２００は、ＡＣＫ信号を受信すると、前記端末へのデータ送信が成功したことを検知し、次のデータを送信する。
【０１２６】
しかし、前記ｅＮｏｄｅＢ２００がＮＡＣＫ信号を受信すると、前記ＵＥ１００へのデータ送信が失敗したことを検知し、適切な時点に同じデータを同じ形式または新しい形式に再送信する。
【０１２７】
前記ＮＡＣＫ信号を送信したＵＥ１００は、再送信されるデータの受信を試みる。
【０１２８】
前記ＵＥ１００は、再送信されたデータを受信すると、これを以前に復号化に失敗したままでバッファに格納されているデータと多様な方式に結合して再び復号化を試み、復号化に成功した場合はＡＣＫ信号を、失敗した場合はＮＡＣＫ信号を、ＰＵＣＣＨまたはＰＵＳＣＨを介して前記ｅＮｏｄｅＢ２００に送信する。前記ＵＥ１００データの復号化に成功する時までＮＡＣＫ信号を送って再送信を受ける過程を繰り返す。
【０１２９】
＜ＦＤＤベースのセルとＴＤＤベースのセルのキャリアアグリゲーション＞
一方、スマートフォンの普及に応じて、ユーザは、より速いデータ通信を要求している。このように、より高速のデータ通信が要求される時点で、既存のようにある移動通信事業者がＦＤＤに基づくサービスのみを提供し、またはＦＤＤに基づくサービスのみを提供することは、周波数使用側面で非効率的である。結果的に、ＵＥがＦＤＤを利用するセルとＴＤＤを利用するセルの両方ともに同時に接続できるようにすることが好ましい。これを実現するために、次世代移動通信システムでは、ＦＤＤベースのセルとＴＤＤベースのセルをキャリアアグリゲーション（ＣＡ）技術により束ねるための議論がある。
【０１３０】
図１１ａ及び図１１ｂは、次世代システムとして論議されているＦＤＤベースのセルとＴＤＤベースのセルをキャリアアグリゲーション（ＣＡ）技術を利用して束ねる例を示す。
【０１３１】
まず、図１１ａに示すように、基地局２００は、ＦＤＤベースのセルとＴＤＤベースのセルを各々提供するように改善されることができる。また、前記基地局２００は、前記ＦＤＤベースのセルとＴＤＤベースのセルをキャリアアグリゲーション（ＣＡ）技術を利用して束ねることができる。したがって、ＵＥ１００は、前記ＦＤＤベースのセルとＴＤＤベースのセルをキャリアアグリゲーション（ＣＡ）技術によって両方とも利用できる。
【０１３２】
一方、図１１ｂに示すように、基地局２００内のカバレッジ内にはセルカバレッジ半径が小さい小規模基地局（ｓｍａｌｌ  ｂａｓｅ  ｓｔａｔｉｏｎ）が配置されることができる。前記基地局２００は、前記小規模基地局よりカバレッジが大きいため、マクロ基地局と呼ばれる。前記マクロ基地局により提供されるセルは、マクロセルと呼ばれる。そして、前記小規模基地局により提供されるセルは、小規模セルと呼ばれる。前記マクロ基地局は、例えば、図示されたように、ＦＤＤベースのセルを提供することができ、前記小規模基地局は、例えば、図示されたように、ＴＤＤベースのセルを提供することができる。前記マクロ基地局のＦＤＤベースのセルと前記小規模基地局のＴＤＤベースのセルは、キャリアアグリゲーション（ＣＡ）技術を利用して束ねられる。
【０１３３】
しかし、前記のように、ＦＤＤベースのセルとＴＤＤベースのセルがキャリアアグリゲーションされる場合、ＵＥ１００のＨＡＲＱ動作が問題になる。
【０１３４】
＜本明細書の開示＞
したがって、本明細書の開示は、ＦＤＤベースのセルとＴＤＤベースのセルがキャリアアグリゲーションされる場合、ＵＥ１００がＨＡＲＱ動作を正常に実行することができるようにするための方案を提示することを目的とする。
【０１３５】
Ｉ．本明細書の第１の開示
まず、３ＧＰＰリリース１１では、同じフレーム構造タイプ（ｆｒａｍｅ  ｓｔｒｕｃｔｕｒｅ  ｔｙｐｅ）（例えば、ＦＤＤまたはＴＤＤ）を有する複数のセルからＵＥがデータを送受信することができる。しかし、前述したように、次期システムでは、周波数帯域の流動的な管理及び運用のために、互いに異なるフレーム構造タイプ（ＦＤＤ、ＴＤＤ）を使用する複数のセルを一端末でｄａｔａ／ｃｏｎｔｒｏｌ情報を送受信する環境を考慮することができる。即ち、ＦＤＤベースのセルとＴＤＤベースのセルがキャリアアグリゲーションされてＵＥに提供されることができる。以下、ＦＤＤベースのセルとＴＤＤベースのセルがキャリアアグリゲーションされることを‘ＴＤＤ−ＦＤＤ  ＣＡ’という。
【０１３６】
ＴＤＤ−ＦＤＤ  ＣＡで、ＴＤＤセルは、表１に示すＵＬ−ＤＬの設定にしたがってアップリンク（ＵＬ）とダウンリンク（ＤＬ）がＴＤＤセルに共存し、それに対し、ＦＤＤセルでは、アップリンク（ＵＬ）とダウンリンク（ＤＬ）が常に共存する。ＦＤＤセルで既存ＴＤＤタイミングに従うとする時、ＦＤＤセルではスケジューリング方法が設定されていないサブフレームが存在する。一例として、ＴＤＤ  ＵＬ−ＤＬ設定が１であり、ＦＤＤセルに対しても前記ＴＤＤ  ＵＬ−ＤＬ設定１に従うとする時、ダウンリンク（ＤＬ）ＨＡＲＱ−ＡＣＫの場合、ＴＤＤセルでアップリンク（ＵＬ）に対応されるサブフレームに対してＦＤＤにダウンリンク（ＤＬ）が存在するにもかかわらず、スケジューリング方法やＨＡＲＱ−ＡＣＫを送信する方法などが設定されていない。もし、ダウンリンク（ＤＬ）サブフレームに対してスケジューリングを実行しない場合は、既存ＴＤＤ方式と同様に、基準ＵＬ−ＤＬ設定が５の場合、最大アグリゲーション可能なセルの個数は２個に制限し、他の場合、５個まで許容する方法を取ることもできる。
【０１３７】
本明細書の一実施例によると、リソース運用の柔軟性を高めるために、即ち、前記ＦＤＤセルのダウンリンク（ＤＬ）サブフレームを活用するために、多様な方案によって追加タイミングを指定することができる。例えば、第１の方式によると、ＵＥは、ＰＤＳＣＨを受信した後、４ｍｓ以後に最も速い利用可能なアップリンク（ＵＬ）サブフレームでＨＡＲＱ−ＡＣＫを送ることができる。または、第２の方式によると、ＨＡＲＱ−ＡＣＫ送信時、特定サブフレームにＨＡＲＱ−ＡＣＫビットが集中して発生できる性能劣化を防止するために、追加ＨＡＲＱ−ＡＣＫタイミングを複数のサブフレームに分散させることができる。第３の方式によると、一ＰＤＳＣＨに対するＨＡＲＱ−ＡＣＫ送信時点が該当ＰＤＳＣＨより以前時点に対応されるＰＤＳＣＨに対するＨＡＲＱ−ＡＣＫ送信時点より先行しないようにすることができる。以下のテーブルは、ＨＡＲＱ送信タイミングに対する一例を示す。
【０１３８】
【表５】
2020010378.tif 000008
【０１３９】
以上の表において、大括弧[]は、各方式によって新しく追加されたＰＤＳＣＨ受信サブフレームＫの番号である。
【０１４０】
以上の表において、大括弧[]は、各方式によって新しく追加されたＰＤＳＣＨ受信サブフレームＫの番号である。
【０１４１】
前述した方式のうち、第１の方式と第２の方式によって、追加的なＦＤＤダウンリンク（ＤＬ）サブフレームを活用するようになると、アップリンクサブフレームｎ上で一回に送信されることができる前記ＨＡＲＱ  ＡＣＫ／ＮＡＣＫのビットが超過することができる。
【０１４２】
したがって、アグリゲーション可能な個数を制限する必要がある。このような制限は、ＴＤＤ−ＦＤＤ  ＣＡを実行するＵＥがＨＡＲＱ−ＡＣＫを送信するにあたって、ＴＤＤタイミングに従う場合に適用されることができる。また、このような制限は、ＴＤＤベースのセルがキャリアアグリゲーションのプライマリセルであり、ＦＤＤベースのセルがキャリアアグリゲーションのセカンダリセルである場合に適用されることができる。そして、ＴＤＤベースのセルで、ダウンリンク（ＤＬ）に該当するサブフレームに対するＦＤＤベースのセルのダウンリンク（ＤＬ）ＨＡＲＱ−ＡＣＫタイミングは、基本的にＴＤＤベースのプライマリセルのＵＬ−ＤＬ設定に従うことができる。一方、ＦＤＤセルのダウンリンク（ＤＬ）サブフレームの中で設定されたＴＤＤ  ＵＬ−ＤＬ設定に対応されないサブフレームを残余ダウンリンク（ＤＬ）サブフレームと呼ぶ。
【０１４３】
以下、アグリゲーション可能なセルの最大個数を制限する方法に対して説明する。
【０１４４】
II．本明細書の第２の開示：アグリゲーション可能なセルの最大個数制限
キャリアアグリゲーション（ＣＡ）の対象となるセルの最大個数は、複数のＨＡＲＱ−ＡＣＫを送信することができるかどうかに依存する。一例として、ＰＵＣＣＨフォーマット３をサポートする場合、ＨＡＲＱ−ＡＣＫは、最大２０ビットまで許容することができ、キャリアアグリゲーションの対象となるセルの最大個数は、該当ＨＡＲＱ−ＡＣＫビット数が２０ビットを超えない基準に基づいて設定できる。
【０１４５】
次は、ＴＤＤ  ＵＬ−ＤＬ設定によるアグリゲーション可能なセルの最大個数設定方法に対する具体的な例である。前記ＴＤＤ  ＵＬ−ＤＬ設定は、ＴＤＤ−ＦＤＤ  ＣＡで、ＴＤＤセルに対応される設定である場合もあり、ＦＤＤセルがダウンリンク（ＤＬ）ＨＡＲＱ−ＡＣＫ送信タイミングとして参照するＵＬ−ＤＬ設定である場合もある。本発明の実施例では、キャリアアグリゲーション（ＣＡ）を構成するＴＤＤセルに対してアグリゲーション可能な最大セルの個数を説明したが、キャリアアグリゲーション（ＣＡ）を構成するＦＤＤセルの個数に対して設定する方法も、本発明から拡張できることは自明である。
【０１４６】
（１）ＴＤＤ  ＵＬ−ＤＬ設定０
この場合は、単一アップリンク（ＵＬ）サブフレームに対応されるダウンリンク（ＤＬ）サブフレームの個数（Ｍ）の最大値が１の場合で表現できる。該当ＵＬ−ＤＬ設定によると、一つの無線フレームは、６個のアップリンク（ＵＬ）を含み、したがって、ＦＤＤセルの残余ダウンリンク（ＤＬ）サブフレームの個数も６個である。したがって、残余ダウンリンク（ＤＬ）サブフレームのＨＡＲＱ−ＡＣＫタイミング設定と関係なく、アグリゲーション可能なセルの最大個数を５に決定できる。
【０１４７】
（２）ＴＤＤ  ＵＬ−ＤＬ設定１
この場合は、単一アップリンク（ＵＬ）サブフレームに対応されるダウンリンク（ＤＬ）サブフレームの個数（Ｍ）の最大値が２の場合で表現できる。該当ＵＬ−ＤＬ設定によると、一つの無線フレームは、４個のアップリンク（ＵＬ）を含み、したがって、ＦＤＤセルの残余ダウンリンク（ＤＬ）サブフレームの個数も４個である。残余ダウンリンク（ＤＬ）サブフレームのＨＡＲＱ−ＡＣＫタイミング設定と関係なく、アグリゲーション可能なセルの最大個数を５に決定する。
【０１４８】
（３）ＴＤＤ  ＵＬ−ＤＬ設定２
この場合は、単一アップリンク（ＵＬ）サブフレームに対応されるダウンリンク（ＤＬ）サブフレームの個数（Ｍ）の最大値が４の場合で表現できる。該当ＵＬ−ＤＬ設定によると、一つの無線フレームは、２個のアップリンク（ＵＬ）を含み、したがって、ＦＤＤセルの残余ダウンリンク（ＤＬ）サブフレームの個数も２個である。該当ＵＬ−ＤＬ設定では、ＦＤＤの残余ダウンリンク（ＤＬ）サブフレームを使用しない場合に５個セルがアグリゲーションされることを基準にしてＨＡＲＱ−ＡＣＫのビット数が（ｓｐａｔｉａｌ  ｂｕｎｄｌｉｎｇ使用を含んで）最大２０ビットであり、したがって、ＦＤＤの残余ダウンリンク（ＤＬ）サブフレームを使用する場合は、アグリゲーション可能なセルの最大個数を５未満に設定しなければならない。該当ＵＬ−ＤＬ設定は、ダウンリンク−アップリンクスイッチング周期が５ｍｓであり、５ｍｓ当たりアップリンク（ＵＬ）サブフレームの個数が１個であるため、以上の表５を参照して説明した第１の方式、第２の方式、第３の方式での違いはない。したがって、ＦＤＤの残余ダウンリンク（ＤＬ）サブフレームを使用する場合は、アグリゲーション可能なセルの最大個数を４に決定できる。より特徴的には、ＰＵＣＣＨ ｆｏｒｍａｔ３に対する情報ビット数が総２２ビットに拡張される場合に対してＣＡを構成するＦＤＤセルの個数が１の場合に対してはアグリゲーション可能なセルの最大個数を５に拡張して設定することもできる。
【０１４９】
（４）ＴＤＤ  ＵＬ−ＤＬ設定３
この場合は、単一アップリンク（ＵＬ）サブフレームに対応されるダウンリンク（ＤＬ）サブフレームの個数（Ｍ）の最大値が３の場合で表現できる。該当ＵＬ−ＤＬ設定によると、一つの無線フレームは、３個のアップリンク（ＵＬ）を含むことができ、したがって、ＦＤＤセルの残余ダウンリンク（ＤＬ）サブフレームの個数も３個である。以上の表５を参照して説明した第２の方式によって、ＦＤＤの残余ダウンリンク（ＤＬ）サブフレームを活用する場合は、アグリゲーション可能なセルの最大個数を５に設定できる。しかし、以上の表５を参照して説明した第１の方式によって、ＦＤＤの残余ダウンリンク（ＤＬ）サブフレームを活用する場合は、下記の例示によってアグリゲーション可能なセルの最大個数を設定することができる。ここで、前述した第１の方式は、第３の方式とＨＡＲＱタイミングが同じであるため、第３の方式に対しても同様に適用できる。
【０１５０】
第１の例示によると、便宜上、アグリゲーション可能なセルの最大個数は４に固定する。この場合は、ＰＵＣＣＨフォーマット３に対する情報ビットは総２２ビットが可能な場合に限定できる。ＰＵＣＣＨフォーマット３に対する情報ビット数が総２１ビットに限定された場合は、アグリゲーション可能なセルの最大個数を３に固定する。
【０１５１】
第２の例示によると、キャリアアグリゲーション（ＣＡ）に含まれるＴＤＤセルの個数とＦＤＤセルの個数との組合せによって許容可能な、アグリゲーション可能なセルの最大個数を決定する。ＴＤＤセルが２個である場合までは、アグリゲーション可能なセルの最大個数を４に設定し、その他は５セルまで許容する。このような第２の例示は、ＰＵＣＣＨフォーマット３に対する情報ビットが総２２ビットに適用されることができる。ＰＵＣＣＨフォーマット３に対する情報ビット数が総２１ビットに限定された場合は、ＴＤＤセルが１個である時、アグリゲーション可能なセルの最大個数を３個に設定し、ＴＤＤセルが２個または３個である時、アグリゲーション可能なセルの最大個数を４個に設定し、その他は５セルまで許容する。
【０１５２】
第３の例示によると、ＴＤＤセル間に互いに異なるＴＤＤ  ＵＬ−ＤＬ設定を考慮し、キャリアアグリゲーション（ＣＡ）に含まれるＴＤＤセルの個数が２以上である時、ＴＤＤセルに対するＭ値を４であると仮定することもできる。ここで、ＴＤＤセル間には基準ＵＬ−ＤＬ設定が５である場合は除外できる。第３の例示によると、キャリアアグリゲーション（ＣＡ）に含まれるＴＤＤセルの個数とＦＤＤセルの個数との組合せによって許容可能な、アグリゲーション可能なセルの最大個数を決定することができる。ＴＤＤセルが４個である場合は、アグリゲーション可能なセルの最大個数を５に決定し、その他は４セルまで許容することができる。このような第２の例示は、ＰＵＣＣＨフォーマット３に対する情報ビットが総２２ビットに適用されることができる。ＰＵＣＣＨフォーマット３に対する情報ビット数が総２１ビットに限定された場合は、ＴＴＤＤセルが１個である時、アグリゲーション可能なセルの最大個数を３個に設定し、その他は４セルまで許容する。
【０１５３】
（５）ＴＤＤ  ＵＬ−ＤＬ設定４
この場合は、単一アップリンク（ＵＬ）サブフレームに対応されるダウンリンク（ＤＬ）サブフレームの個数（Ｍ）の最大値が４の場合で表現できる。該当ＵＬ−ＤＬ設定によると、一つの無線フレームは、２個のアップリンク（ＵＬ）を含み、したがって、ＦＤＤセルの残余ダウンリンク（ＤＬ）サブフレームの個数も２個である。以上の表５を参照して説明した第２の方式によって、ＦＤＤの残余ダウンリンク（ＤＬ）サブフレームを活用する場合は、アグリゲーション可能なセルの最大個数を４に設定できる。前記第２の方式において、より特徴的には、ＰＵＣＣＨフォーマット３に対する情報ビット数が総２２ビットに拡張される場合、キャリアアグリゲーション（ＣＡ）を構成するＴＤＤセルの個数が１の場合に対してはアグリゲーション可能なセルの最大個数を５に拡張して設定することもできる。しかし、以上の表５を参照して説明した第１の方式によって、ＦＤＤの残余ダウンリンク（ＤＬ）サブフレームを活用する場合は、下記の例示によってアグリゲーション可能なセルの最大個数を設定することができる。ここで、前述した第１の方式は、第３の方式とＨＡＲＱタイミングが同じであるため、第３の方式に対しても同様に適用できる。
【０１５４】
第１の例示によると、便宜上、アグリゲーション可能なセルの最大個数は３に固定できる。
【０１５５】
第２の例示によると、キャリアアグリゲーション（ＣＡ）に含まれるＴＤＤセルの個数とＦＤＤセルの個数との組合せによって許容可能な、アグリゲーション可能なセルの最大個数を決定することができる。ＴＤＤセルが１個まではアグリゲーション可能なセルの最大個数はを３に設定し、その他は４セルまで許容する。
【０１５６】
第３の例示によると、アグリゲーション可能なセルの最大個数は４に固定できる。この場合は、ＰＵＣＣＨフォーマット３に対する情報ビットは総２２ビットが可能な場合に限定できる。アグリゲーション可能なセルが４個である場合、ＨＡＲＱ−ＡＣＫビット数は最大２２ビットであり、ＳＲが設定されないサブフレームに限って、ＨＡＲＱ−ＡＣＫを全て送ることができる。本例示では、ＳＲが設定されたサブフレームに対しては一部ＨＡＲＱ−ＡＣＫが送信されないと仮定することができ、該当ダウンリンク（ＤＬ）サブフレームでは、ＰＤＳＣＨがスケジューリングされないと仮定することができる。前記該当ダウンリンク（ＤＬ）サブフレームは、ＦＤＤセルの残余ダウンリンク（ＤＬ）サブフレームの全体または一部に限定できる。前記ＳＲが設定されたサブフレームによるスケジューリング制限は、ＴＤＤセルが１個、そして、ＦＤＤセルが３個含まれているキャリアアグリゲーション（ＣＡ）に適用されることができる。
【０１５７】
（６）ＴＤＤ  ＵＬ−ＤＬ設定５
この場合は、単一アップリンク（ＵＬ）サブフレームに対応されるダウンリンク（ＤＬ）サブフレームの個数（Ｍ）の最大値が５以上の場合で表現できる。該当ＵＬ−ＤＬ設定によると、一つの無線フレームは、１個のアップリンク（ＵＬ）を含むことができ、したがって、ＦＤＤセルの残余ダウンリンク（ＤＬ）サブフレームの個数も１個である。残余ダウンリンク（ＤＬ）サブフレームのＨＡＲＱ−ＡＣＫタイムが設定と関係なく、アグリゲーション可能なセルの最大個数を２に設定できる。その理由は、アップリンク（ＵＬ）サブフレームが一つであるため、残余ダウンリンク（ＤＬ）サブフレームのタイミング設定方法も一つであると見なすことができ、この場合、各セル当たりＨＡＲＱ−ＡＣＫビット数は、（必要な場合、ｓｐａｔｉａｌ  ｂｕｎｄｌｉｎｇを適用して）１０ビットに設定され、また、２個セルをアグリゲーションした場合、ＨＡＲＱ−ＡＣＫの総ビット数は、２０ビットに設定される。
【０１５８】
（７）ＴＤＤ  ＵＬ−ＤＬ設定６
この場合は、単一アップリンク（ＵＬ）サブフレームに対応されるダウンリンク（ＤＬ）サブフレームの個数（Ｍ）の最大値が１の場合で表現できる。該当ＵＬ−ＤＬ設定によると、一つの無線フレームは、５個のアップリンク（ＵＬ）を含むことができ、したがって、ＦＤＤセルの残余ダウンリンク（ＤＬ）サブフレームの個数も５個である。残余ダウンリンク（ＤＬ）サブフレームのＨＡＲＱ−ＡＣＫ ｔｉｍｉｎｇ設定と関係なく、アグリゲーション可能なセルの最大個数を５に設定する。
【０１５９】
ＴＤＤセルとＦＤＤセルをアグリゲーションするにあたって、アグリゲーション可能なセルの最大個数を設定または制限する時、下記の追加的な例示を考慮することができる。
【０１６０】
第１の例示によると、ＴＤＤセルとＦＤＤセルがキャリアアグリゲーションされるとする時、最大アグリゲーションされたセル個数は、ＴＤＤ  ＵＬ−ＤＬ設定に関係なく、２個に制限できる。前記において、ＴＤＤ−ＦＤＤ  ＣＡは、ＴＤＤ  ＨＡＲＱタイミングに従うことができる。
【０１６１】
第２の例示によると、ＴＤＤセルとＦＤＤセルがキャリアアグリゲーションされるとする時、最大アグリゲーションされたセル個数を５個に設定することができないＴＤＤ  ＵＬ−ＤＬ設定に対しては最大アグリゲーションされたセル個数を２個に制限する。このとき、ＴＤＤ−ＦＤＤ  ＣＡは、ＴＤＤ  ＨＡＲＱタイミングに従う場合に限定できる。より特徴的には、該当ＴＤＤ  ＵＬ−ＤＬ設定は、２、３、４、５に限定できる。前記において、ＴＤＤ  ＵＬ−ＤＬ設定３の場合にＦＤＤセルの残余ダウンリンク（ＤＬ）サブフレームを以上の表５を参照して説明した第２の方式にサポートする場合は、前記５個のセルをサポートしないＵＬ−ＤＬ設定は除外されることができる。これによると、ＦＤＤの残余ダウンリンク（ＤＬ）サブフレームを含むＭの最大値が４以下のみ最大アグリゲーションされたセル個数を５個に許容すると表現することもできる。
【０１６２】
一方、以上まで説明した内容を図１２を参照して整理して説明すると、下記の通りである。
【０１６３】
図１２は、本明細書の第２の開示による方案を示すフローチャートである。
【０１６４】
図１２を参照すると、ＴＤＤベースのセルがキャリアアグリゲーションのプライマリセルであり、ＦＤＤベースのセルがキャリアアグリゲーションのセカンダリセルである。
【０１６５】
まず、プライマリセルに該当するＴＤＤベースのセルがＵＥ１００のＰＵＣＣＨフォーマットを決定し、前記決定されたＰＵＣＣＨフォーマットに対する情報を含むＰＵＣＣＨ設定をＲＲＣシグナルを介して前記ＵＥ１００に伝達する。
【０１６６】
次に、前記プライマリセルに該当するＴＤＤベースのセルは、キャリアアグリゲーション可能なセルの最大個数を決定する。例えば、前記の決定で、ＵＥ１００のＰＵＣＣＨフォーマットとしてＰＵＣＣＨフォーマット３が決定された場合、前記セルの最大個数は、ＵＥが送信するＨＡＲＱ  ＡＣＫ／ＮＡＣＫが２０ビットを超えないように決定されることができる。
【０１６７】
次に、前記ＴＤＤベースのセルは、前記決定されたセルの最大個数を超えない範囲でセカンダリセルを追加するために、ＲＲＣ再構成メッセージを伝達する。ここで、前記追加されるセカンダリセルは、ＦＤＤベースのセルを含むことができる。
【０１６８】
前記ＵＥ１００は、ＲＲＣ再構成メッセージに対する応答としてＲＲＣ再構成完了メッセージを前記ＴＤＤベースのセルに送信する。
【０１６９】
次に、前記ＴＤＤベースのセルは、前記セカンダリセルを活性化するために、活性化メッセージをＵＥ１００に送信する。
【０１７０】
一方、各セルは、スケジューリング情報を含むＰＤＣＣＨを各々送信し、その後、ダウンリンクデータを含むＰＤＳＣＨを各々前記ＵＥ１００に送信する。
【０１７１】
前記ＵＥ１００は、前記ダウンリンクデータを受信すると、各ダウンリンクデータに対するＨＡＲＱ−ＡＣＫ／ＮＡＣＫを送信しなければならない。
【０１７２】
このとき、設定されたＰＵＣＣＨフォーマットがＰＵＣＣＨフォーマット３の場合、前記ＵＥ１００は、アップリンクサブフレームｎで送信するＨＡＲＱ−ＡＣＫ／ＮＡＣＫのビット数を決定する。もし、前記ＴＤＤベースのセルのダウンリンク−基準（ＤＬ−ｒｅｆｅｒｅｎｃｅ）ＵＬ−ＤＬ設定が２、３、４、５のうちいずれか一つに該当する場合、前記ＵＥ１００は、前記ＨＡＲＱ−ＡＣＫ／ＮＡＣＫのビット個数が２０を超えないように、前記キャリアアグリゲーションされたセルの個数が制限されていると仮定することができる。
【０１７３】
III ．最大５個のセルをアグリゲーションすることができるようにするための方案
送信するＨＡＲＱ−ＡＣＫ／ＮＡＣＫのビットを決定するにあたって、前記のように各セルに対しては使用することができるサブフレームは全て使用してキャリアアグリゲーション（ＣＡ）の対象となるセルの個数を制限する方法を取ることもでき、それに対し、キャリアアグリゲーション（ＣＡ）の対象となるセルの最大個数は５に固定してＰＵＣＣＨリソースを介して送ることができる限度によってＦＤＤセルの残余ダウンリンク（ＤＬ）サブフレームを一部のみ活用することもできる。または、ＨＡＲＱ−ＡＣＫにバンドリングなどを介してビット数を減らした後に送信する方法を考慮することもできる。
【０１７４】
（１）ＴＤＤセルのアップリンク（ＵＬ）サブフレームと整列された（ａｌｉｇｎｅｄ）ＦＤＤセルのダウンリンク（ＤＬ）サブフレーム使用方法
ＴＤＤ−ＦＤＤキャリアアグリゲーション（ＣＡ）に対してもアグリゲーション可能なセルの最大個数を５に維持する時、ＦＤＤセルの残余ダウンリンク（ＤＬ）サブフレームは、全体または一部に対してスケジューリングを制限する必要がある。以下、ＦＤＤの残余ダウンリンク（ＤＬ）サブフレームの使用量設定及び選択方法に対するより具体的な例である。
【０１７５】
第１の例として、ＴＤＤ−ＦＤＤキャリアアグリゲーション（ＣＡ）でＴＤＤ  ＨＡＲＱタイミングに従う場合、各アップリンク（ＵＬ）サブフレームに連結されたダウンリンク（ＤＬ）サブフレームの個数が４を超過しないように、ＦＤＤセルの残余ダウンリンク（ＤＬ）サブフレームに対する全体または一部の使用有無を設定する。ここで、アップリンク（ＵＬ）サブフレームに連結されたダウンリンク（ＤＬ）サブフレームは、ＴＤＤシステムにおいて、アップリンク（ＵＬ）サブフレームで複数のＨＡＲＱ−ＡＣＫを送信時に該当ＨＡＲＱ−ＡＣＫに対応されるダウンリンク（ＤＬ）サブフレームと解釈できる。一例として、ＵＬ−ＤＬ設定３に設定されたＴＤＤセルとＦＤＤセルがキャリアアグリゲーションに束ねられており、ＴＤＤダウンリンク（ＤＬ）ＨＡＲＱタイミングに従うとする時、以上の表５を参照して説明した第２の方式の場合は、分散マッピングにより単一アップリンク（ＵＬ）サブフレームに連結されたダウンリンク（ＤＬ）サブフレームの個数の最大値（以下、Ｍで表記）が４を超過しない。以上の表５を参照して説明した第１の方式及び第３の方式の場合は、Ｍの最大値が６になることができるが、本方法により、３個の残余ダウンリンク（ＤＬ）サブフレームのうち１個の残余ダウンリンク（ＤＬ）サブフレームのみを使用することでＭの最大値を４にそろえることができる。ここで、ＨＡＲＱ−ＡＣＫビット数が２０を超過する場合にＦＤＤセルの残余ダウンリンク（ＤＬ）サブフレームの全体または一部を使用しないと表現することもできる。
【０１７６】
第２の例として、ＴＤＤ−ＦＤＤキャリアアグリゲーション（ＣＡ）で、キャリアアグリゲーション（ＣＡ）を構成するセルの個数によってＦＤＤセルの残余ダウンリンク（ＤＬ）サブフレームに対する全体または一部の使用有無を設定する。より具体的な例として、ＵＬ−ＤＬ設定２の場合、キャリアアグリゲーション（ＣＡ）を構成するセルの個数が４個以下まではＦＤＤセルの全ての残余ダウンリンク（ＤＬ）サブフレーム使用を許容し、５個セルに対しては許容しない。ＵＬ−ＤＬ設定３で、以上の表５を参照して説明した第１の方式及び第３の方式の場合、キャリアアグリゲーション（ＣＡ）を構成するセルの個数が４個以下まではＦＤＤセルの全ての残余ダウンリンク（ＤＬ）サブフレーム使用を許容し、５個セルに対しては許容しない。ＵＬ−ＤＬ設定４で、以上の表５を参照して説明した第１の方式及び第３の方式の場合、キャリアアグリゲーション（ＣＡ）を構成するセルの個数が３個以下まではＦＤＤセルの全ての残余ダウンリンク（ＤＬ）サブフレーム使用を許容し、４または５セルに対しては許容しない。ＵＬ−ＤＬ設定４で、表５を参照して説明した第２の方式の場合、キャリアアグリゲーション（ＣＡ）を構成するセルの個数が４個以下まではＦＤＤセルの全ての残余ダウンリンク（ＤＬ）サブフレーム使用を許容し、５個セルに対しては許容しない。上記の内容は、ＨＡＲＱ−ＡＣＫビット数が２０を超過する場合、ＦＤＤセルの残余ダウンリンク（ＤＬ）サブフレームの全体または一部を使用しないと表現することもできる。
【０１７７】
ここで、ＦＤＤセルの残余ダウンリンク（ＤＬ）サブフレームに対する全体または一部の使用可否は、上位階層で設定することもできる。このときの設定方式は、ダウンリンク（ＤＬ）サブフレーム別に指定することである。
【０１７８】
一方、より具体的な一例として、ＴＤＤ  ＵＬ−ＤＬ設定２、３、４に対してはＭ＞４の場合が発生しないようにＨＡＲＱタイミングを（再）設定することを考慮することができる。より具体的には、前記ＴＤＤ  ＵＬ−ＤＬ設定３に対しては、ＨＡＲＱタイミングが以上の表５を参照して説明した第２の方式でない場合がある。
【０１７９】
前記第１の例の変形例として、該当ＵＬ−ＤＬ設定に対しては既存のＴＤＤプライマリセルのタイミングに従うようにすることができる。前記で、ＴＤＤプライマリセルタイミングは、ＳＩＢを介して設定され、またはプライマリセルで使用中である実際基準タイミングである。一例として、ＴＤＤプライマリセルがＵＬ−ＤＬ設定４で動作中である場合は、該当セルとキャリアアグリゲーション（ＣＡ）中であるＦＤＤセカンダリセルのＨＡＲＱタイミングは、ＵＬ−ＤＬ設定４に従うことを考慮することができる。このとき、Ｍ＜＝４以下になる限り、追加的なタイミングを割り当てることができる。例えば、ＵＬ−ＤＬ設定４を使用する時、表５を参照して説明した第１の方式で、ＨＡＲＱ  ＡＣＫ／ＮＡＣＫ送信サブフレームｎが２の場合、ダウンリンクサブフレームＫは、１０または９のうちいずれか一つのみを許容することができる。
【０１８０】
前記第１の例の他の変形例として、該当ＵＬ−ＤＬ設定に対してはＴＤＤ  ＵＬ−ＤＬ設定０−６の値のうち一つの値に従うようにする。より具体的に、ＦＤＤセルがセカンダリセルである場合、前記ＦＤＤセルのダウンリンク（ＤＬ）ＨＡＲＱタイミングがＵＬ−ＤＬ設定５に設定され、またはＵＬ−ＤＬ設定２の場合、設定２タイミングに設定されることができる。
【０１８１】
このとき、キャリアアグリゲーション（ＣＡ）を構成するセルの個数によって、他の設定を基準にしてＨＡＲＱタイミングを決定することを考慮することができる。一例として、総キャリアアグリゲーション（ＣＡ）対象となるセル個数が２個である時は、設定５によるタイミングを利用し、総キャリアアグリゲーション（ＣＡ）対象となるセル個数が２を超過する時は、設定２によるタイミングを利用することを考慮することができる。ここで、設定２によるタイミングを利用する場合は、ＴＤＤセルがプライマリセルであり、該当ＴＤＤセルのタイミングが設定２の場合に該当できる。ここで、ＴＤＤセルがプライマリセルである時、プライマリセルのタイミングは、ＳＩＢを介して設定され、またはプライマリセルで使用中である実際参照タイミングである。
【０１８２】
このとき、設定２によるタイミングまたは設定５によるタイミングは、既存タイミングであり、または以上の表５に示すタイミングである。
【０１８３】
（２）チャネル選択が可能なＰＵＣＣＨフォーマット１ｂで送信時、ＨＡＲＱ−ＡＣＫ／ＮＡＣＫビット構成方案
ＴＤＤ−ＦＤＤキャリアアグリゲーション（ＣＡ）を構成するセルの個数が２個である場合、複数のＨＡＲＱ−ＡＣＫ／ＮＡＣＫを送信するにあたって、チャネル選択が可能なＰＵＣＣＨフォーマット１ｂを活用することを考慮することができる。しかし、既存３ＧＰＰ  Ｒｅｌ−１１システムにおいて、チャネル選択が可能なＰＵＣＣＨフォーマット１ｂ方式は、該当ＰＵＣＣＨを送信するアップリンク（ＵＬ）サブフレームに連結されたダウンリンク（ＤＬ）サブフレームの個数（Ｍで表記）が最大４個である場合に対する方法が記述されているため、ＴＤＤ−ＦＤＤキャリアアグリゲーション（ＣＡ）でＦＤＤセルの追加ビットを使用する場合、Ｍの値が５（そして、６）である場合をサポートする方案が要求される。以下、これに対して説明する。
【０１８４】
１）新しいテーブル設計方案
Ｍ＝５または６の場合に対するチャネル選択が可能なＰＵＣＣＨフォーマット１ｂのテーブル設計は、Ｍ＝３または４のように、ＤＡＩベースの方式を考慮することができる。ＴＤＤセルがプライマリセルである場合、Ｍの値（以下、Ｍ＿Ｐセル）は、最大４の場合に対してチャネル選択が可能なＰＵＣＣＨフォーマット１ｂを介してＨＡＲＱ−ＡＣＫを送信することができるため、ＴＤＤベースのセルがプライマリセルであり、ＦＤＤベースのセルがセカンダリセルである場合、Ｍ＿Ｐセルの値とＭ＿Ｓセル（ＳセルのＭ）の値が異なる場合を考慮することもできる。一例として、Ｍ＿Ｐセルは４であり、Ｍ＿Ｓセルは５である場合を考慮することができる。または、Ｍ＿ＰセルとＭ＿ＳセルのＭａｘ値を最終Ｍ値に設定してチャネル選択が可能なＰＵＣＣＨフォーマット１ｂのテーブルを選択することもできる。一例として、Ｍ＿Ｐセル＝Ｍ＿Ｓセル＝５の場合を考慮することができる。以下は、より具体的な例である。
【０１８５】
第１の例として、ＴＤＤ−ＦＤＤキャリアアグリゲーション（ＣＡ）に限定してＭ＿Ｐセルの値とＭ＿Ｓセルの値を独立にし、これを利用してチャネル選択が可能なＰＵＣＣＨフォーマット１ｂのためのＨＡＲＱ−ＡＣＫビットを構成する。
【０１８６】
第２の例として、ＴＤＤ−ＦＤＤキャリアアグリゲーション（ＣＡ）に限定してＭ＿Ｐセルの値とＭ＿Ｓセルのうち最大値を利用してチャネル選択が可能なＰＵＣＣＨフォーマット１ｂのためのＨＡＲＱ−ＡＣＫビットを構成する。
【０１８７】
第３の例として、ＴＤＤ−ＦＤＤキャリアアグリゲーション（ＣＡ）で、Ｍ＿Ｓセルの値が５の場合は、前記第１の例の方案を適用し、Ｍ＿Ｓセルの値が４以下の場合は、前記第２の例を適用する。
【０１８８】
第４の方案として、ＴＤＤ−ＦＤＤキャリアアグリゲーション（ＣＡ）で、ＵＥは、ＦＤＤベースのセルに該当するセカンダリセルに対するＭ＿Ｓセルの値を上位階層シグナルを介して受信する。この場合、追加的にスケジューリング制限などを考慮することができる。
【０１８９】
前記例で、ＨＡＲＱ−ＡＣＫ送信は、各セル別に実行することを考慮することができ、連続的なＡＣＫカウンタを考慮してＨＡＲＱ−ＡＣＫビット数をセル当たり２ビットに減らすことを考慮することができる。ここで、２ビットは｛（Ａｃｋ、Ａｃｋ）、（Ａｃｋ、Ｎａｃｋ／ＤＴＸ）、（Ｎａｃｋ／ＤＴＸ、Ａｃｋ）、（Ｎａｃｋ／ＤＴＸ、Ｎａｃｋ／ＤＴＸ）、（ＤＴＸ、Ｎａｃｋ／ＤＴＸ）｝の変換ＨＡＲＱ−ＡＣＫで表現されることができる。以後に２個のセルに対する４ビットの変換ＨＡＲＱ−ＡＣＫを入力として、以下のテーブルに示す方式によってＰＵＣＣＨリソース及び送信シンボルを設定することができる。以下の表は、Ａ＝４に対するＨＡＲＱ−ＡＣＫマルチプレキシングの送信を示す。
【０１９０】
【表６】
2020010378.tif 000009
【０１９１】
前記で、ＨＡＲＱ−ＡＣＫ（０）とＨＡＲＱ−ＡＣＫ（１）は、プライマリセルに対する変換ＨＡＲＱ−ＡＣＫであり、ＨＡＲＱ−ＡＣＫ（２）とＨＡＲＱ−ＡＣＫ（３）は、セカンダリセルに対する変換ＨＡＲＱ−ＡＣＫである。
【０１９２】
次は、Ｍ＝５に対するＨＡＲＱ−ＡＣＫ圧縮変換する方法に対する具体的な例である。具体的な一例として、ＨＡＲＱ−ＡＣＫ（ｋ）は、ｋ番目にスケジューリングされたＰＤＳＣＨ送信またはダウンリンクＳＰＳ（ｓｅｍｉ  ｐｅｒｓｉｓｔｅｎｔ  ｓｃｈｅｄｕｌｉｎｇ）解除を示すＰＤＣＣＨ／ＥＰＤＣＣＨを含むサブフレームに対応するＨＡＲＱ−ＡＣＫであり、各々、ＤＡＩの値が（（ｋ−１）ｍｏｄ４＋１）に設定されることができる。
【０１９３】
第１の例として、ＴＤＤアップリンク（ＵＬ）サブフレームに関連した（ａｓｓｏｃｉａｔｅｄ）ＦＤＤセルのダウンリンク（ＤＬ）サブフレーム（以下、残余ダウンリンク（ＤＬ）サブフレーム）をＨＡＲＱ−ＡＣＫ（４）に対応するということができる。そして、前記残余ダウンリンク（ＤＬ）サブフレームは、ピークデータ送信率を上げるための目的と仮定する。この場合に対するＨＡＲＱ−ＡＣＫ変換方法は、以下の表に従うことができる。以下の表は、Ｍ＝５に対するＨＡＲＱ−ＡＣＫ圧縮変換方法に対する一例を示す。
【０１９４】
【表７】
2020010378.tif 000010
【０１９５】
第２の例として、Ｍ＝５に対してデータ送信率が高い側にテーブルを設計する。以下のテーブルは、これに対する具体的な一例であり、Ｍ＝５に対するＨＡＲＱ−ＡＣＫ圧縮変換方法に対する一例である。
【０１９６】
【表８】
2020010378.tif 000011
【０１９７】
前記変換ＨＡＲＱ−ＡＣＫ状態で、（ＡＣＫ、ＡＣＫ）は、（ＮＡＣＫ／ＤＴＸ、ＮＡＣＫ／ＤＴＸ）に設定されることもでき、その反対の場合も同様に考慮されることができる。そして、（ＡＣＫ、ＮＡＣＫ／ＤＴＸ）は、（ＮＡＣＫ／ＤＴＸ、ＡＣＫ）に設定されることもでき、その反対の場合も同様に考慮されることができる。セカンダリセルの場合は、変換ＨＡＲＱ−ＡＣＫ状態で、（ＮＡＣＫ、ＮＡＣＫ／ＤＴＸ）と（ＤＴＸ、ＮＡＣＫ／ＤＴＸ）を（ＮＡＣＫ／ＤＴＸ、ＮＡＣＫ／ＤＴＸ）に考慮することもできる。
【０１９８】
第３の例として、Ｍ＝５に対してデータ送信率が低い側にテーブルを設計する。以下のテーブルは、これに対する具体的な一例であり、Ｍ＝５に対するＨＡＲＱ−ＡＣＫ圧縮変換方法に対する一例である。
【０１９９】
【表９】
2020010378.tif 000012
【０２００】
第４の例として、Ｍ＝５に対してデータ送信率が低い側にテーブルを設計する。以下のテーブルは、Ｍ＝５に対するＨＡＲＱ−ＡＣＫ圧縮変換方法に対する一例を示す。
【０２０１】
【表１０】
2020010378.tif 000013
【０２０２】
第５の例として、Ｍ＝５に対してデータ送信率を適切に分配してテーブルを設計する。以下のテーブルは、Ｍ＝５に対するＨＡＲＱ−ＡＣＫ圧縮変換方法に対する一例である。
【０２０３】
【表１１】
2020010378.tif 000014
【０２０４】
第６の例として、Ｍ＝５に対してテーブルを設計する。このとき、重複するＨＡＲＱ−ＡＣＫ状態の数を増加させる。以下のテーブルは、Ｍ＝５に対するＨＡＲＱ−ＡＣＫ圧縮変換方法に対する一例を示す。
【０２０５】
【表１２】
2020010378.tif 000015
【０２０６】
前記Ｓ１とＳ２は、各々、ＮＡＣＫ／ＤＴＸに設定され、またはＤＴＸに設定され、または予めａｎｙに設定されることもできる。
【０２０７】
前記変換ＨＡＲＱ−ＡＣＫ状態で、（ＡＣＫ、ＡＣＫ）は、（ＮＡＣＫ／ＤＴＸ、ＡＣＫ）に設定されることもでき、その反対の場合も同様に考慮されることができる。場合によって、ＰＵＣＣＨリソースマッピングと変調シンボル設定方法が互いに変えることができる。セカンダリセルの場合は、変換ＨＡＲＱ−ＡＣＫ状態で、（ＮＡＣＫ、ＮＡＣＫ／ＤＴＸ）と（ＤＴＸ、ＮＡＣＫ／ＤＴＸ）を（ＮＡＣＫ／ＤＴＸ、ＮＡＣＫ／ＤＴＸ）に統合して考慮することもできる。
【０２０８】
以下の表は、Ｍ＿Ｐセル＝４であり、Ｍ＿Ｓセル＝５である場合に対するＨＡＲＱ−ＡＣＫマルチプレキシング送信方法に対する一例であり、Ｍ＝５に対しては、前記第６の例でＳ１とＳ２の両方ともＤＴＸである場合に対するものである。
【０２０９】
【表１３−１】
2020010378.tif 000016
【表１３−２】
2020010378.tif 000017
【表１３−３】
2020010378.tif 000018
【表１３−４】
2020010378.tif 000019
【表１３−５】
2020010378.tif 000020
【表１３−６】
2020010378.tif 000021
【０２１０】
２）ＨＡＲＱ−ＡＣＫバンドリング（ｂｕｎｄｌｉｎｇ）方案
他の方法では、ＨＡＲＱ−ＡＣＫバンドリングを活用してＭの最大値を４にそろえる方案を考慮することもできる。それによって、既存３ＧＰＰ  ＬＴＥ  Ｒｅｌ−１１システムのチャネル選択が可能なＰＵＣＣＨフォーマット１ｂと同じ方式にＨＡＲＱ−ＡＣＫを送信することができる。前記ＨＡＲＱ−ＡＣＫバンドリング方案適用は、ＰＵＣＣＨが送信されるアップリンク（ＵＬ）サブフレームに関連したダウンリンク（ＤＬ）サブフレームの個数Ｍが４を超過する場合に対して適用できる。また、より具体的な例では、前記方案は、Ｍ＝ｊ（ｊ＞４）に対してＵＥにＨＡＲＱ−ＡＣＫが要求される物理チャネルをスケジューリングする時、スケジューリングしたチャネルの個数（または、ＰＤＳＣＨ送信またはダウンリンクＳＰＳ解除を示すＰＤＣＣＨ／ＥＰＤＣＣＨを含むサブフレームの数）が４を超過する場合は、ＨＡＲＱ−ＡＣＫバンドリングを実行する場合に適用されることができる。本発明の実施例において、ｋ番目のスケジューリングされたＰＤＳＣＨ送信またはダウンリンクＳＰＳ解除を示すＰＤＣＣＨ／ＥＰＤＣＣＨや、これを含むサブフレームをｒａｗ  ＤＡＩとする。前記ＨＡＲＱ−ＡＣＫバンドリングは、ｒａｗ  ＤＡＩが４を超過することに対応される物理チャネルに対するＨＡＲＱ−ＡＣＫとｒａｗ  ＤＡＩ＝４（または、ＤＡＩ）に対応される物理チャネルに対するＨＡＲＱ−ＡＣＫに対して実行することができる。具体的な一例として、スケジューリングするチャネルの数が５個である時、５番目のチャネル（以下、ｒａｗ  ＤＡＩ＝５に対応されるチャネルとする）に対するＨＡＲＱ−ＡＣＫは、ｒａｗ  ＤＡＩ＝４に対応されるＨＡＲＱ−ＡＣＫと以下の表の方式通りにバンドリングを実行することができる。
【０２１１】
【表１４】
2020010378.tif 000022
【０２１２】
前記において、ｒａｗ  ＤＡＩ＝４に対してＡＣＫまたはＤＴＸのみを考慮した理由は、チャネル選択が可能なＰＵＣＣＨフォーマット１ｂに対する既存の表において、ＤＴＸの場合、（ＡＣＫ、ＤＴＸ、ＤＴＸ、、ＤＴＸ）状態を別途に区分せず、その以外の場合、先行するＨＡＲＱ−ＡＣＫがＮＡＣＫ／ＤＴＸである時、以後のＨＡＲＱ−ＡＣＫに対しては別途に区分しないためである。前記表において、ｒａｗ  ＤＡＩ＝５に対するＨＡＲＱ−ＡＣＫは、スケジューリングしたチャネルの個数が６以上である時、ｒａｗ  ＤＡＩ値が４を超過する全てのＨＡＲＱ−ＡＣＫに対してＨＡＲＱ−ＡＣＫバンドリングを実行したということができる。前記追加的なＨＡＲＱ−ＡＣＫバンドリングは、基本的にＡＮＤ動作に従い、ＤＴＸが含まれる場合、以上の表１４に従うと限定できる。
【０２１３】
ｒａｗ  ＤＡＩ＝５のためのＨＡＲＱ−ＡＣＫに対してＤＴＸである場合は、ｅＮｏｄｅＢが実際にスケジューリングを実行しない場合もあり、スケジューリングを実行したが、ＵＥでＰＤＣＣＨ遺失により発生した場合もある。この場合、以上の表１３のように（ＡＣＫ、ＤＴＸ）に対してＮＡＣＫで処理すると、ｒａｗ  ＤＡＩ＝４に対してＨＡＲＱ−ＡＣＫを正しく表現することができないこともある。したがって、ｒａｗ  ＤＡＩ＝４（または、ＤＡＩ＝４、ＨＡＲＱ−ＡＣＫ（３））に対応される物理チャネルが、ＰＵＣＣＨを送信するアップリンク（ＵＬ）サブフレームに関連したダウンリンク（ＤＬ）サブフレームのうち最も後行する（最後の）ダウンリンク（ＤＬ）サブフレームで送信される場合、前記ＨＡＲＱ−ＡＣＫバンドリングを実行しないようにすることができる。即ち、この場合は、ｒａｗ  ＤＡＩ＝５であるＰＤＣＣＨが送信される可能性がなくて、端末がこれを遺失する場合がないため、ＨＡＲＱ−ＡＣＫバンドリングを実行する理由がない。即ち、ｒａｗ  Ｍ＝５である状況で、ＤＡＩ＝４に対するＨＡＲＱ−ＡＣＫ（ＨＡＲＱ−ＡＣＫ（３））が、ＡＣＫである場合はＡＣＫで処理し、ＮＡＣＫである場合はＮＡＣＫで処理する。即ち、ｅＮｏｄｅＢがｒａｗ  ＤＡＩ＝４までのみスケジュールする場合は、最後のサブフレーム（Ｍ＝５の場合は、５番目のサブフレーム、Ｍ＝６の場合は、６番目のサブフレーム）にＤＡＩ＝４をスケジュールするようにすることでＤＡＩ＝４にＨＡＲＱ−ＡＣＫ応答がＮＡＣＫで処理されることを防止することができる。即ち、この場合、ＨＡＲＱ−ＡＣＫ（４）がＤＴＸに設定された場合であるとしても、ＨＡＲＱ−ＡＣＫ（３）とＨＡＲＱ−ＡＣＫ（４）をバンドリングしない。この実施例において、ｒａｗ  ＤＡＩ＝４やｒａｗ  ＤＡＩ＝５または６に対する内容は一例に過ぎず、チャネル選択が可能なＰＵＣＣＨフォーマット１ｂ送信に使用するＭ値（実施例では４）とＨＡＲＱ−ＡＣＫが要求されるｃｈａｎｎｅｌｓの最大スケジューリング個数（実施例では５）の多様な他の組合せに対しても本発明の思想から拡張できる。
【０２１４】
以上で、説明の便宜上、ＤＣＩ（Ｄｏｗｎｌｉｎｋ  ｃｏｎｔｒｏｌ  ｉｎｆｏｒｍａｔｉｏｎ）がＰＤＣＣＨで送信されると記述したが、これに限定されるものではなく、ＥＰＤＣＣＨ等、他の制御チャネルに送信されることも可能である。前記でＤＡＩフィールドが２ビットに制限される場合、５以上の値が直接的に指示されることはできず、例えば、ＤＡＩ＝１と同じフィールドの値を使用するようになることができる。Ｒａｗ  ＤＡＩ＝５以上である値は、ＰＵＣＣＨを送信するアップリンク（ＵＬ）サブフレームに関連したダウンリンク（ＤＬ）サブフレームで送信された以前のＰＤＣＣＨでＤＡＩ値のヒストリーを介して間接的に認識するようになる。
【０２１５】
（３）ＰＵＣＣＨフォーマット３で送信時、ＨＡＲＱ−ＡＣＫビット構成方法
ＰＵＣＣＨフォーマット３は、ＨＡＲＱ−ＡＣＫのための入力ビット数が最大２０ビットに設定されている。ＴＤＤ−ＦＤＤキャリアアグリゲーション（ＣＡ）時にＦＤＤセルの残余ダウンリンク（ＤＬ）サブフレーム使用による全体ＨＡＲＱ−ＡＣＫビット数の増加は、追加的なＨＡＲＱ−ＡＣＫバンドリングを活用してサポートすることもできる。前記ＨＡＲＱ−ＡＣＫバンドリングは、セル別に実行されることができる。また、前記ＨＡＲＱ−ＡＣＫバンドリングは、時間領域バンドリングである。また、時間領域バンドリング技法は、連続的なＡＣＫカウンタを活用することができる。
【０２１６】
ＴＤＤセルでアップリンク（ＵＬ）サブフレームに整列されたＦＤＤセルのダウンリンク（ＤＬ）サブフレーム（以下、ＦＤＤ残余ダウンリンク（ＤＬ）サブフレーム）を含んで該当アップリンク（ＵＬ）サブフレームに関連したダウンリンク（ＤＬ）サブフレームの総個数にＭ値を設定し、Ｍ値によってバンドリングを実行する。連続的なＡＣＫカウンタに対してＭ＝３、４の時、以下の表によって表現できる。Ｍの値が５以上である場合は、ＭＳＢから４ビットまではＭ＝４に対応される表を利用してバンドリングを実行し、残りのビットに対してはバンドリングを実行しない方法を考慮することができる。または、セル当たり最終２ビットに圧縮する代りにＭ＝３のような方式に拡張してＡＣＫ、ＡＣＫ、…、ＮＡＣＫ／ＤＴＸ、ａｎｙを表現する方式にビット数を減らすことを考慮することもできる。より具体的には、各セル別にバンドリングされたビットの大きさは、４を超過しないように設計する。以下の表１７は、Ｍ＝５に対する設計の一例である。以下の表１７で残る状態は、ＨＡＲＱ−ＡＣＫ組合せをより細分化して区別するときに使われることができる。この場合、ＤＡＩ値設定は、各セル別にアップリンク（ＵＬ）サブフレームに整列される全てのダウンリンク（ＤＬ）サブフレームに対して指定できる。
【０２１７】
他の方案では、ＴＤＤセルでアップリンク（ＵＬ）サブフレームに整列されるダウンリンク（ＤＬ）サブフレームを二つのグループに分け、各グループ別にＭ値を指定して時間領域でバンドリングを実行する。前記二つのダウンリンク（ＤＬ）サブフレームグループは、ＦＤＤ残余ダウンリンク（ＤＬ）サブフレームを含むかまたは含まないかに限定できる。一例として、ＦＤＤセルのダウンリンク（ＤＬ）サブフレーム（以下、ＦＤＤ残余ダウンリンク（ＤＬ）サブフレーム）を除外して該当アップリンク（ＵＬ）サブフレームに関連したダウンリンク（ＤＬ）サブフレームの総個数にＭ＿１値を設定し、Ｍ＿１値によってバンドリングを実行する。そして、前記ＦＤＤ残余ダウンリンク（ＤＬ）サブフレームに対しては、該当アップリンク（ＵＬ）サブフレームに関連したＦＤＤ残余ダウンリンク（ＤＬ）サブフレームの総個数にＭ＿２値を設定し、Ｍ＿２値によってバンドリングを実行する。この場合、ＤＡＩ値設定は、各セル別にアップリンク（ＵＬ）サブフレームに整列されるダウンリンク（ＤＬ）サブフレームに対してＦＤＤ残余ダウンリンク（ＤＬ）サブフレームと残りのダウンリンク（ＤＬ）サブフレームに対して別途に設定できる。即ち、この場合は、各アップリンク（ＵＬ）サブフレーム当たり２種類のＤＡＩ値を有することができる。
【０２１８】
以下の表１５は、Ｍ＝３に対する連続的なＡＣＫカウンタを示す。
【０２１９】
【表１５】
2020010378.tif 000023
【０２２０】
以下の表１６は、Ｍ＝４に対する連続的なＡＣＫカウンタを示す。
【０２２１】
【表１６】
2020010378.tif 000024
【０２２２】
以下の表１７は、Ｍ＝５に対する連続的なＡＣＫカウンタを示す。
【０２２３】
【表１７】
2020010378.tif 000025
【０２２４】
次は、前記バンドリング適用時期に対して、より具体的な例である。
【０２２５】
第１の例として、送信するＨＡＲＱ−ＡＣＫのビット数が２０を超過する場合、各セル別に時間ドメインバンドリングを実行する。
【０２２６】
第２の例として、ＴＤＤ−ＦＤＤキャリアアグリゲーション（ＣＡ）可能なＵＥが、ＴＤＤセルとＦＤＤセルの両方ともを設定した場合、各セル別に時間ドメインバンドリングを実行する。
【０２２７】
第３の例として、上位階層シグナルを介して時間ドメインバンドリング可否を設定する。より特徴的には、時間ドメインバンドリングを設定せずにＨＡＲＱ−ＡＣＫビット数が２０を超過した場合は、前記ＦＤＤセルの残余ダウンリンク（ＤＬ）サブフレームの一部を使用しないと設定することもできる。
【０２２８】
次は、適用時期によって前記バンドリングの適用方法に対する具体的な例である。
【０２２９】
第１の例として、時間ドメインバンドリングが実行される条件で、全てのセルに対して各セル別に前記時間ドメインバンドリングを実行する。
【０２３０】
第２の例として、時間ドメインバンドリングが実行される条件で、プライマリセルを除外した残りのセルに対して各セル別に前記時間ドメインバンドリングを実行する。
【０２３１】
第３の例として、時間ドメインバンドリングが実行される条件で、一部セルに対して各セル別に前記時間ドメインバンドリングを実行する。ここで、一部セルは、ＦＤＤセルである場合もあり、ＦＤＤ残余ダウンリンク（ＤＬ）サブフレームを含むセルである場合もある。
【０２３２】
（４）新しいＰＵＣＣＨフォーマット導入
既存３ＧＰＰ  ＬＴＥ  Ｒｅｌ−１１システムと異なるように、ＴＤＤ−ＦＤＤキャリアアグリゲーション（ＣＡ）状況では、ＰＵＣＣＨフォーマット３で５個のセルをサポートすることができない状況が一層頻繁な頻度で発生できる。それによって、最大キャリアアグリゲーション（ＣＡ）の対象となるセル個数制限は、結局、ネットワークの柔軟性を落とすことができ、これに対する解決方案として、新しいＰＵＣＣＨフォーマットの導入を考慮することができる。より具体的な一例として、各スロット別に１ＲＢを占めるＰＵＳＣＨの形態に基づいて新しいＰＵＣＣＨリソースを割り当てることができる。これはＴＤＤ−ＦＤＤキャリアアグリゲーション（ＣＡ）である場合にのみ適用されることもでき、または上位階層シグナルがある場合にのみ適用されることもできる。
【０２３３】
他の方法として、複数のＰＵＣＣＨリソースを活用して送信することを考慮することができる。このとき、第１のＰＵＣＣＨリソースを介しては、ＦＤＤ残余ダウンリンク（ＤＬ）サブフレームを除外したダウンリンク（ＤＬ）サブフレームに対するＨＡＲＱ−ＡＣＫを送信し、第２のＰＵＣＣＨリソースを介しては、ＦＤＤ残余ダウンリンク（ＤＬ）サブフレームに対するＨＡＲＱ−ＡＣＫを送信することができる。追加的なＰＵＣＣＨリソースは、上位階層で設定し、または第１のＰＵＣＣＨリソースに対する関数で表現できる。
【０２３４】
（５）ＰＵＳＣＨピギーバック（ｐｉｇｇｙｂａｃｋ）
前述したように、ＨＡＲＱ−ＡＣＫがＰＵＣＣＨで送信時にチャネル選択が可能なＰＵＣＣＨフォーマット１ｂを利用するかまたはＰＵＣＣＨフォーマット３を利用するかによって、バンドリング方法やＨＡＲＱ−ＡＣＫビット数が変わることができる。ＰＵＣＣＨとＰＵＳＣＨの同時送信が設定されていない状況など、ＨＡＲＱ−ＡＣＫがＰＵＳＣＨでピギーバックされて送信される状況を考慮することができる。ＨＡＲＱ−ＡＣＫは、ＰＵＣＣＨで送信時にバンドリングを実行した状況であるとしても、ＰＵＳＣＨでＨＡＲＱ−ＡＣＫを送信時にはバンドリングを解体することができるように設定することを考慮することができる。ここで、バンドリングを解体するとは、該当バンドリングを実行する以前の状態に返すことを意味する。また、前記で解体の対象となるバンドリングで空間（ｓｐａｔｉａｌ）バンドリングは除外されることができ、バンドリング解体可否はアップリンク（ＵＬ）グラント（ｇｒａｎｔ）を介して設定すると限定できる。一例として、アップリンク（ＵＬ）ＤＡＩ値によって、ＰＵＳＣＨで送信するＨＡＲＱ−ＡＣＫに対するバンドリング解体可否を設定することができる。追加に、この場合は、アグリゲーションされたセルの最大個数が制限されたケースに該当できる。より特徴的には、最大アグリゲーションされたセル個数が制限されない場合に対しては解体の対象となるバンドリングから、追加にｒａｗ  ＤＡＩ＞４に対応されるバンドリングも除外されることもある。
【０２３５】
他の接近方案として、ＰＵＳＣＨで送信されるＨＡＲＱ−ＡＣＫは、チャネル選択が可能なＰＵＣＣＨフォーマット１ｂやＰＵＣＨＣフォーマット３に関係なく、ＰＵＣＣＨで送信されるＨＡＲＱ−ＡＣＫをそのまま借用することを考慮することができる。即ち、ＰＵＣＣＨで送信時に適用されたバンドリング技法がＰＵＳＣＨで送信時にも考慮される場合であると解析できる。
【０２３６】
IV．交差搬送波（Ｃｒｏｓｓ−ｃａｒｒｉｅｒ）スケジューリングサポート方法
ＴＤＤ−ＦＤＤキャリアアグリゲーション（ＣＡ）を実行するＵＥに対してキャリアアグリゲーション（ＣＡ）を構成するセル間に対する交差搬送波スケジューリング導入を考慮することができる。これは、スケジューリングをするセルとスケジューリングを受けるセルの関係を同じフレーム構造タイプを使う場合にのみ適用されることができる。即ち、ＦＤＤセルは、ＦＤＤセルのみでスケジューリングを受けることができ、ＴＤＤセルは、ＴＤＤセルのみでスケジューリングを受けることを考慮することができる。アップリンク（ＵＬ）ＨＡＲＱタイミングを考慮すると、前記方式のように交差搬送波スケジューリングを同じフレーム構造タイプを有するセル間にのみ適用することが効果的である。ダウンリンク（ＤＬ）ＨＡＲＱタイミングの場合は、ＦＤＤセルが自動的にスケジューリングしたＨＡＲＱタイミングを活用して最大限多くのダウンリンク（ＤＬ）サブフレームを使用することができる。それに対し、ＴＤＤセルがプライマリセルである場合は、異なるＴＤＤ設定方式を活用することができ、ＦＤＤセルがプライマリセルである場合は、設定組合せによってダウンリンク（ＤＬ）サブフレームの一部損失が発生することがある。他の方案として、ＴＤＤ−ＦＤＤキャリアアグリゲーション（ＣＡ）で、交差搬送波スケジューリングを導入するにあたって、スケジューリングセルに対するフレーム構造タイプがＦＤＤである場合にのみ提供されることができる。これに対する利点として、ダウンリンク（ＤＬ）とアップリンク（ＵＬ）が常に利用可能なＦＤＤでは、スケジューリングセルによる制約を回避することができる。
【０２３７】
Ｖ．ＨＡＲＱタイミングを制限する方式
前述したように、ＴＤＤセルがプライマリセルである場合、ＵＬ−ＤＬ設定によって、全てのＦＤＤセカンダリセルのダウンリンク（ＤＬ）サブフレームに対するＨＡＲＱ−ＡＣＫフィードバックをサポートするために新しいＨＡＲＱ−ＡＣＫタイミングを指定する場合、端末の複雑度が高まることができる。
【０２３８】
したがって、本発明では前記で示す表５の一部ＨＡＲＱタイミングのみを全てのＴＤＤプライマリセルＵＬ−ＤＬ設定に対して適用する方式を提案する。具体的には、表５のＵＬ−ＤＬ設定１で任意方式に定義されたタイミングは、１０ｍｓ周期のＵＬ−ＤＬ設定と５ｍｓ周期のＵＬ−ＤＬ設定に対して、４個のサブフレームを介したＨＡＲＱ−ＡＣＫペイロード（ｐａｙｌｏａｄ）分散を可能にし、ＵＬ−ＤＬ設定２で任意方式とＵＬ−ＤＬ設定４で任意方式は、各々、５ｍｓ周期のＵＬ−ＤＬ設定と１０ｍｓ周期のＵＬ−ＤＬ設定に対して２個のサブフレームを介した分散を可能にすることができる。例えば、以下の表に示すようなＨＡＲＱタイミングを定義することができる。
【０２３９】
【表１８】
2020010378.tif 000026
【０２４０】
以上で説明した、本発明の実施例は、多様な手段を介して具現されることができる。例えば、本発明の実施例は、ハードウェア、ファームウェア（ｆｉｒｍｗａｒｅ）、ソフトウェアまたはそれらの結合などにより具現されることができる。具体的には図面を参照して説明する。
【０２４１】
図１３は、本明細書の開示が具現される無線通信システムを示すブロック図である。
【０２４２】
基地局２００は、プロセッサ（ｐｒｏｃｅｓｓｏｒ）２０１、メモリ（ｍｅｍｏｒｙ）２０２及びＲＦ部（ＲＦ（ｒａｄｉｏ周波数）ｕｎｉｔ）２０３を含む。メモリ２０２は、プロセッサ２０１と連結され、プロセッサ２０１を駆動するための多様な情報を格納する。ＲＦ部２０３は、プロセッサ２０１と連結され、無線信号を送信及び／または受信する。プロセッサ２０１は、提案された機能、過程及び／または方法を具現する。前述した実施例で、基地局の動作は、プロセッサ２０１により具現されることができる。
【０２４３】
ＵＥ１００は、プロセッサ１０１、メモリ１０２及びＲＦ部１０３を含む。メモリ１０２は、プロセッサ１０１と連結され、プロセッサ１０１を駆動するための多様な情報を格納する。ＲＦ部１０３は、プロセッサ１０１と連結され、無線信号を送信及び／または受信する。プロセッサ１０１は、提案された機能、過程及び／または方法を具現する。
【０２４４】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０２４５】
前述した例示的なシステムにおいて、方法は、一連のステップまたはブロックで順序図に基づいて説明されているが、本発明は、ステップの順序に限定されるものではなく、あるステップは、前述と異なるステップと、異なる順序にまたは同時に発生できる。また、当業者であれば、順序図に示すステップが排他的でなく、他のステップが含まれ、または順序図の一つまたはそれ以上のステップが本発明の範囲に影響を及ぼさずに削除可能であることを理解することができる。
【図１】
2020010378.tif 000027
【図２】
2020010378.tif 000028
【図３】
2020010378.tif 000029
【図４】
2020010378.tif 000030
【図５】
2020010378.tif 000031
【図６】
2020010378.tif 000032
【図７】
2020010378.tif 000033
【図８】
2020010378.tif 000034
【図９】
2020010378.tif 000035
【図１０】
2020010378.tif 000036
【図１１ａ】
2020010378.tif 000037
【図１１ｂ】
2020010378.tif 000038
【図１２】
2020010378.tif 000039
【図１３】
2020010378.tif 000040
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）がＨＡＲＱ（ｈｙｂｒｉｄ  ａｕｔｏｍａｔｉｃ  ｒｅｔｒａｎｓｍｉｔ  ｒｅｑｕｅｓｔ）動作を実行する方法であって、  
前記ＵＥが、ＰＵＣＣＨ（Ｐｈｙｓｉｃａｌ  Ｕｐｌｉｎｋ  Ｃｏｎｔｒｏｌ  Ｃｈａｎｎｅｌ）フォーマットに基づいて送信するＨＡＲＱ  ＡＣＫ（ａｃｋｋｎｏｗｌｅｄｇｅｍｅｎｔ）／ＮＡＣＫ（ｎｅｇａｔｉｖｅ  ａｃｋｎｏｗｌｅｄｇｅｍｅｎｔ）のビットの数を決定するステップと、  
前記ＵＥは少なくとも一つのＴＤＤベースのセルと少なくとも一つのＦＤＤベースのセルを含むキャリアアグリゲーション（ＣＡ）で設定され、
前記少なくとも一つのＴＤＤベースのセルはプライマリセルとして設定され、
前記少なくとも一つのＦＤＤベースのセルはセカンダリセルとして設定され、 
前記ＰＵＣＣＨフォーマットに基づいてＰＵＣＣＨ信号を生成し、送信するステップとを含み、
（ｉ）前記少なくとも一つのＴＤＤベースのセルのアップリンクーダウンリンク（ＵＬ−ＤＬ）設定がＵＬ−ＤＬ設定３を含み、(ｉｉ)前記少なくとも一つのＴＤＤベースセルが前記プライマリセルとして設定され、(ｉｉｉ)前記少なくとも一つのＦＤＤベースのセルが前記セカンダリセルとして設定されることに基づいて、前記キャリアアグリゲーション（ＣＡ）に含まれるセルの最大個数は、前記決定されたＨＡＲＱ  ＡＣＫ／ＮＡＣＫのビットの数が前記ＰＵＣＣＨフォーマットで許容された最大ビットの数を超えないように制限される、ＨＡＲＱ動作方法。
【請求項２】
前記許容された最大ビット数が２０であるように前記ＰＵＣＣＨフォーマットがＰＵＣＣＨフォーマット３を含むことに基づいて、前記キャリアアグリゲーション（ＣＡ）に含まれるセルの最大個数が制限される、請求項１に記載のＨＡＲＱ動作方法。
【請求項３】
少なくとも一つのＴＤＤベースのセルの前記ＵＬ−ＤＬ設定がＵＬ−ＤＬ設定２，４及び５の少なくとも一つをさらに含むことに基づいて、前記キャリアアグリゲーション（ＣＡ）に含まれるセルの最大個数がさらに制限される、請求項１に記載のＨＡＲＱ動作方法。
【請求項４】
前記ＰＵＣＣＨフォーマットに対する設定を含むＲＲＣシグナルを受信するステップをさらに含む、請求項１に記載のＨＡＲＱ動作方法。
【請求項５】
前記キャリアアグリゲーション（ＣＡ）は、ＴＤＤベースのプライマリセル、ＦＤＤベースの少なくとも一つ以上のセカンダリセル、及びＴＤＤベースの少なくとも一つ以上のセカンダリセルを含む、請求項１に記載のＨＡＲＱ動作方法。
【請求項６】
基地局により実行されるＨＡＲＱ（ｈｙｂｒｉｄ  ａｕｔｏｍａｔｉｃ  ｒｅｔｒａｎｓｍｉｔ  ｒｅｑｕｅｓｔ）  ＡＣＫ（ａｃｋｋｎｏｗｌｅｄｇｅｍｅｎｔ）／ＮＡＣＫ（ｎｅｇａｔｉｖｅ  ａｃｋｎｏｗｌｅｄｇｅｍｅｎｔ）受信方法であって、
前記基地局が、少なくとも一つのＴＤＤベースのセルと少なくとも一つのＦＤＤベースのセルを含むキャリアアグリゲーション（ＣＡ）を設定するステップと、
前記少なくとも一つのＴＤＤベースのセルはプライマリセルとして設定され、
前記少なくとも一つのＦＤＤベースのセルはセカンダリセルとして設定され、
前記基地局が、ユーザ装置（ＵＥ）で使用されるＰＵＣＣＨ（Ｐｈｙｓｉｃａｌ  Ｕｐｌｉｎｋ  Ｃｏｎｔｒｏｌ  Ｃｈａｎｎｅｌ）フォーマットを決定するステップと、
前記基地局が、ダウンリンクデータを前記ＵＥに送信するステップと、
前記ダウンリンクデータに対するＨＡＲＱ  ＡＣＫ／ＮＡＣＫを受信するステップと、を含み、
（ｉ）前記少なくとも一つのＴＤＤベースのセルのアップリンクーダウンリンク（ＵＬ−ＤＬ）設定がＵＬ−ＤＬ設定３を含み、(ｉｉ)前記少なくとも一つのＴＤＤベースのセルが前記プライマリセルとして設定され、(ｉｉｉ)前記少なくとも一つのＦＤＤベースのセルが前記セカンダリセルとして設定されることに基づいて、前記キャリアアグリゲーション（ＣＡ）に含まれるセルの最大個数は、前記受信したＨＡＲＱ  ＡＣＫ／ＮＡＣＫのビットの数が前記ＰＵＣＣＨフォーマットで許容される最大ビットの数を超えないように制限される、ＨＡＲＱ  ＡＣＫ／ＮＡＣＫ受信方法。
【請求項７】
前記許容される最大ビット数が２０となるように前記ＰＵＣＣＨフォーマットがＰＵＣＣＨフォーマット３を含むことに基づいて、前記キャリアアグリゲーション（ＣＡ）に含まれる前記セルの最大個数が制限される、請求項６に記載のＨＡＲＱ  ＡＣＫ／ＮＡＣＫ受信方法。
【請求項８】
少なくとも一つのＴＤＤベースのセルの前記ＵＬ−ＤＬ設定がＵＬ−ＤＬ設定２，４及び５の少なくとも一つをさらに含むことに基づいて、前記キャリアアグリゲーション（ＣＡ）に含まれる前記セルの最大個数がさらに制限される、請求項６に記載のＨＡＲＱ  ＡＣＫ／ＮＡＣＫ受信方法。
【請求項９】
前記決定されたＰＵＣＣＨフォーマットに対する設定を含むＲＲＣシグナルを送信するステップをさらに含む、請求項６に記載のＨＡＲＱ  ＡＣＫ／ＮＡＣＫ受信方法。
【請求項１０】
前記キャリアアグリゲーション（ＣＡ）は、前記ＴＤＤベースのプライマリセル、ＦＤＤベースの少なくとも一つ以上のセカンダリセル、及びＴＤＤベースの少なくとも一つ以上のセカンダリセルを含む、請求項６に記載のＨＡＲＱ  ＡＣＫ／ＮＡＣＫ受信方法。
【請求項１１】
ダウンリンクデータに関するＨＡＲＱ  ＡＣＫ／ＮＡＣＫの送信のための前記ＰＵＣＣＨフォーマットを確認するステップをさらに含む、請求項１に記載のＨＡＲＱ動作方法。
【請求項１２】
ＨＡＲＱ（ｈｙｂｒｉｄ  ａｕｔｏｍａｔｉｃ  ｒｅｔｒａｎｓｍｉｔ  ｒｅｑｕｅｓｔ）動作を実行するための端末（ＵＥ）であって、  
送受信部と、
前記送受信部を制御し、ＰＵＣＣＨ（Ｐｈｙｓｉｃａｌ  Ｕｐｌｉｎｋ  Ｃｏｎｔｒｏｌ  Ｃｈａｎｎｅｌ）フォーマットに基づいて送信されるＨＡＲＱ  ＡＣＫ（ａｃｋｋｎｏｗｌｅｄｇｅｍｅｎｔ）／ＮＡＣＫ（ｎｅｇａｔｉｖｅ  ａｃｋｎｏｗｌｅｄｇｅｍｅｎｔ）ビットの数を決定するプロセッサとを含み、
前記ＵＥは、少なくとも一つのＴＤＤベースのセルと少なくとも一つのＦＤＤベースのセルを含むキャリアアグリゲーション（ＣＡ）で設定され、
前記少なくとも一つのＴＤＤベースのセルはプライマリセルとして設定され、
前記少なくとも一つのＦＤＤベースのセルはセカンダリセルとして設定され、  
前記プロセッサは、前記送受信部を介して、前記ＰＵＣＣＨフォーマットに基づいてＰＵＣＣＨ信号を生成し、送信するようにさらに設定され、
（ｉ）前記少なくとも一つのＴＤＤベースのセルのアップリンクーダウンリンク（ＵＬ−ＤＬ）設定はＵＬ−ＤＬ設定３を含み、（ｉｉ）前記少なくとも一つのＴＤＤベースのセルが前記プライマリセルとして設定され、(ｉｉｉ)前記少なくとも一つのＦＤＤベースのセルが前記セカンダリセルとして設定されることに基づいて、前記キャリアアグリゲーション（ＣＡ）に含まれるセルの最大個数は、ＨＡＲＱ  ＡＣＫ／ＮＡＣＫのビットの決定された数が前記ＰＵＣＣＨフォーマットで許容された最大ビットの数を超えないように制限される、端末。